(57)【特許請求の範囲】
【請求項１】
付けまつ毛アプリケータであって、
眼瞼に付けられるように付けまつ毛を解放可能に支持するための付けまつ毛支持体と、
前記付けまつ毛を付けるために前記付けまつ毛支持体を操作するための柄部と、
を備え、
前記付けまつ毛支持体は、前記柄部の操作により転動する構成を有し、前記付けまつ毛は、眼瞼の上で前記付けまつ毛支持体から離れて、前記付けまつ毛の長さ方向に転動して付けられるように構成され、
前記付けまつ毛支持体は、少なくとも１つの外側部を有し、
前記少なくとも１つの外側部は、前記付けまつ毛のベースを前記外側部に整合して支持する形状であり、
前記外側部は、前記付けまつ毛を実質的に反転された形状で支持するために、実質的に屈曲した凸形状、または実質的に直線形状であり、
前記付けまつ毛支持体は、第１のクランプ部材及び第２のクランプ部材を有するクランプを備え、
前記第１のクランプ部材及び前記第２のクランプ部材のうち少なくとも１つは反転された前記付けまつ毛を支持するための前記外側部を形成し、
前記第１のクランプ部材及び前記第２のクランプ部材は、前記付けまつ毛のベースから延在する複数本の付け睫毛を把持するために連動可能に連結され、または連結可能である、
付けまつ毛アプリケータ。
【請求項２】
付けまつ毛アプリケータであって、
眼瞼に付けられるように付けまつ毛を解放可能に支持するための付けまつ毛支持体と、
前記付けまつ毛を付けるために前記付けまつ毛支持体を操作するための柄部と、
を備え、
前記付けまつ毛支持体は、前記柄部の操作により転動する構成を有し、前記付けまつ毛は、眼瞼の上で前記付けまつ毛支持体から離れて、前記付けまつ毛の長さ方向に転動して付けられるように構成され、
前記付けまつ毛支持体は、少なくとも１つの外側部を有し、
前記少なくとも１つの外側部は、前記付けまつ毛のベースを前記外側部に整合して支持する形状であり、
前記外側部は、前記付けまつ毛のベースを支持するために、実質的に凹形状であり、
前記外側部の曲率半径は、ヒトの眼の曲率半径よりはるかに大きい、
付けまつ毛アプリケータ。
【請求項３】
前記付けまつ毛支持体は一体構造を備える、請求項１に記載の付けまつ毛アプリケータ。
【請求項４】
前記付けまつ毛のベースを前記外側部に解放可能に接着するための接着媒体を更に備える、請求項１に記載の付けまつ毛アプリケータ。
【請求項５】
前記第１のクランプ部材及び前記第２のクランプ部材のうち少なくとも１つに形成された少なくとも１つの位置合わせポスト及び関連する穴を更に備え、
前記少なくとも１つの位置合わせポスト及び関連する穴は、互いにスライド可能に係合するとともに、前記第１のクランプ部材及び前記第２のクランプ部材が一緒に押し付けられるように前記第１のクランプ部材及び前記第２のクランプ部材の一方を他方の上に整合するように、前記第１のクランプ部材及び前記第２のクランプ部材上に配設される、請求項１に記載の付けまつ毛アプリケータ。
【請求項６】
前記第１のクランプ部材及び前記第２のクランプ部材は、実質的に反転された前記付けまつ毛を前記付けまつ毛アプリケータに装填するための開放構成と、支持されている実質的に反転された前記付けまつ毛の前記複数本の付け睫毛をきつく把持するための実質的な閉鎖構成と、実質的に反転された前記付けまつ毛を前記第１のクランプ部材及び前記第２のクランプ部材から実質的な制限なく、解放可能にしながら、前記複数本の付け睫毛をゆるく把持するための中立構成との間で調整可能に構成されている、請求項１に記載の付けまつ毛アプリケータ。
【請求項７】
バイアス装置を更に備え、前記バイアス装置が実質的な前記開放構成と、前記中立構成と、前記閉鎖構成との間で、前記第１のクランプ部材及び前記第２のクランプ部材をバイアスするように構成される、請求項６に記載の付けまつ毛アプリケータ。
【請求項８】
前記バイアス装置は、前記付けまつ毛アプリケータと一体化されたシムクランプを備える、請求項７に記載の付けまつ毛アプリケータ。
【請求項９】
前記バイアス装置は、前記付けまつ毛アプリケータから分離された、又は前記付けまつ毛アプリケータと一体化されたクリップを備える、請求項７に記載のアプリケータ。
【請求項１０】
前記第１のクランプ部材は、前記外側部に沿って長さ方向に延在するまつ毛受け溝を含み、
前記第２のクランプ部材は、対応する曲面部を含み、前記まつ毛受け溝と対応する曲面部は互いに試験可能であり（testable、テストでき）、前記第２のクランプ部材が前記複数本の睫毛を把持する前記閉鎖構成にあるとき、前記複数本の睫毛がその自然にカールした形状を実質的に維持するようにプロファイルされている、請求項６に記載の付けまつ毛アプリケータ。
【請求項１１】
ヒンジを更に備え、前記第１のクランプ部材及び前記第２のクランプ部材は前記開放構成と、前記中立構成と、前記閉鎖構成との間で前記第１のクランプ部材及び前記第２のクランプ部材を調整するために前記ヒンジによって連動可能に連結されている、請求項６に記載の付けまつ毛アプリケータ。
【請求項１２】
前記第１のクランプ部材及び前記第２のクランプ部材を前記閉鎖構成から前記中立構成に所定量だけ離間させ、それらの間に間隙を形成するように動作可能に構成されるスペーサ機構を更に備える、請求項１１に記載の付けまつ毛アプリケータ。
【請求項１３】
前記スペーサ機構は前記ヒンジを備え、前記ヒンジは、前記第１のクランプ部材及び前記第２のクランプ部材を枢動可能に相互に連結する伸張可能なヒンジであり、前記伸張可能なヒンジは、伸張されていない構成と伸張された構成との間で動作可能であり、
前記伸張されていない構成では、前記第１のクランプ部材及び前記第２のクランプ部材がヒンジ回転軸の周りを枢動し、
前記伸張された構成では、前記第１のクランプ部材の前記ヒンジ回転軸は、前記第１のクランプ部材と前記第２のクランプ部材との間の前記間隙を形成するように前記第２のクランプ部材の前記ヒンジ回転軸から前記所定量だけほぼ(generally)垂直にずらされている、請求項１２に記載の付けまつ毛アプリケータ。
【請求項１４】
前記スペーサ機構は、前記伸張可能なヒンジを前記伸張された構成と伸張されていない構成との間で調整するためのラッチ機構と、
前記第１のクランプ部材及び前記第２のクランプ部材を前記中立構成において互いに実質的に平行に維持するためのガイド部材と、を更に備える、請求項１３に記載の付けまつ毛アプリケータ。
【請求項１５】
前記第１のクランプ部材及び前記第２のクランプ部材を前記閉鎖構成から前記中立構成に所定量だけ離間させ、それらの間に間隙を形成するように動作可能に構成されるスペーサ機構を更に備える、請求項６に記載の付けまつ毛アプリケータ。
【請求項１６】
付けまつ毛を更に備え、前記付けまつ毛は前記転動する構成で前記付けまつ毛アプリケータに予め支持されている（pre-supported）、請求項１に記載の付けまつ毛アプリケータ。
【請求項１７】
付けまつ毛を更に備え、前記付けまつ毛は、前記実質的に反転された形状で前記付けまつ毛アプリケータに予め支持されている、請求項１に記載の付けまつ毛アプリケータ。
【請求項１８】
付けまつ毛をアプリケータ内に装填するための付けまつ毛ホルダーであって、
第１の構成と第２の構成との間で調整可能な、前記付けまつ毛を支持するための支持部材を備え、
前記第２の構成は、前記第１の構成から前記第２の構成への調整後において前記付けまつ毛の支持が維持されるデフォルト構成であり、
前記第１の構成では、前記付けまつ毛が前記支持部材の上に反転されずに実質的に凸形状に支持可能であり、デフォルトの前記第２の構成では、前記付けまつ毛が前記支持部材の上に反転されて実質的に凹形状に支持可能であり、
凸形状の前記付けまつ毛が反転されずに前記支持部材の上に支持されているとき、前記支持部材は、反転されていない前記付けまつ毛の形状を前記実質的に凸形状から前記実質的に凹形状である反転された形状に維持するように前記第１の構成からデフォルトの前記第２の構成に調整可能である、
付けまつ毛ホルダー。
【請求項１９】
前記支持部材は、前記第１の構成と前記第２の構成との間で変形可能（deformable）な可撓バンドを備える、請求項１８に記載の付けまつ毛ホルダー。
【請求項２０】
前記可撓バンドは、前記第１の構成における凸形状と前記第２の構成における実質的に凹形状とを有する、請求項１９に記載の付けまつ毛ホルダー。
【請求項２１】
前記可撓バンドは、前記第１の構成における前記凸形状から前記第２の構成における前記実質的に凹形状に反転可能に構成されている、請求項２０に記載の付けまつ毛ホルダー。
【請求項２２】
前記可撓バンドは、自然にデフォルトで前記第１の構成になるように構成されている、請求項２１に記載の付けまつ毛ホルダー。
【請求項２３】
前記可撓バンドは、前記第２の構成における前記実質的に凹形状から前記第１の構成における前記凸形状に調整可能に構成されている、請求項２０に記載の付けまつ毛ホルダー。
【請求項２４】
前記可撓バンドは、自然にデフォルトで前記第２の構成になるように構成されている、請求項２３に記載の付けまつ毛ホルダー。
【請求項２５】
前記実質的に凹形状における前記可撓バンドの外側部を、対応するアプリケータの凸状の外側部に整合させるため、前記可撓バンドの外側部において両端部に位置するスペーサを更に備える、請求項２０に記載の付けまつ毛ホルダー。
【請求項２６】
前記可撓バンド（the flexible band）の内面における中心域と一体化された、又はそれに固定された、前記可撓バンドを反転装置に装着するためのポストを更に備える、請求項２０に記載の付けまつ毛ホルダー。
【請求項２７】
付けまつ毛器具であって、
付けまつ毛ベースと複数本の付け睫毛を有する付けまつ毛であって、前記付けまつ毛ベースが眼瞼に接着するための内側部と前記複数本の付け睫毛（said false eyelashes）が前記付けまつ毛ベースから離れて延在する外側部とを有する、前記付けまつ毛と、
反転された前記付けまつ毛を付けまつ毛アプリケータ内に装填するのに使用する付けまつ毛ホルダーであって、実質的に凸形状の外側部を有する支持部材を有する、前記付けまつ毛ホルダーと、
を備え、
前記付けまつ毛が、前記支持部材の外側部に解放可能に反転されて支持されるとともに、前記付けまつ毛ベースの内側部が前記支持部材の外側部に対向し、前記付けまつ毛ベースの外側部が前記支持部材の外側部から離れて外側に向かって対向するように配向され、
前記付けまつ毛ベースの外側部及び前記付けまつ毛ベースの内側部が、前記支持部材の外側部に、かつそれと入れ子状に、それぞれ実質的に凹形状及び凸形状に支持されている、
付けまつ毛器具。
【請求項２８】
支持された前記付けまつ毛は、分離されると、前記付けまつ毛ベースの外側部及び前記付けまつ毛ベースの内側部がそれぞれほぼ(generally)凸形状及び凹形状である形状を想定する（assumes）付けまつ毛である、請求項２７に記載の付けまつ毛器具。
【請求項２９】
前記付けまつ毛支持体は可撓性バンドを備える、請求項２８に記載の付けまつ毛器具。
【請求項３０】
前記付けまつ毛ベースと前記支持部材の外側部との間に、前記付けまつ毛ベースを前記支持部材の外側部に解放可能に接着する接着媒体を更に備える、請求項２８に記載の付けまつ毛器具。
【請求項３１】
前記付けまつ毛ホルダーは前記支持された付けまつ毛を前記付けまつ毛アプリケータ内に装填するように前記付けまつ毛の支持部材を操作するための柄部を具備する、請求項２８に記載の付けまつ毛器具。
【請求項３２】
付けまつ毛システムであって、
付けまつ毛を眼瞼に付けるための付けまつ毛アプリケータと、
反転された付けまつ毛を前記付けまつ毛アプリケータ内に装填するための付けまつ毛ホルダーと、
を備え、
前記付けまつ毛アプリケータは、
眼瞼に付ける前記付けまつ毛を解放可能に支持するための付けまつ毛支持体と、
前記付けまつ毛を付けるために前記付けまつ毛支持体を操作するための柄部と、
を備え、
前記付けまつ毛支持体は、デフォルトの反転された構成で付けまつ毛を開放可能に支持するように構成され、
前記付けまつ毛支持体は、前記柄部の操作により、付けまつ毛を長さ方向で横方向に眼瞼の上で、かつ前記付けまつ毛支持体から離れて転動するための長さ方向のロールオン構成で、反転された前記付けまつ毛を転動可能に支持するように構成されている、
付けまつ毛システム。
【請求項３３】
前記付けまつ毛アプリケータの支持体は、少なくとも１つの外側部を有し、前記少なくとも１つの外側部は、前記付けまつ毛のベースを前記付けまつ毛アプリケータの外側部の外部にそれとともに整合して転動可能に支持するために形成されており、
前記付けまつ毛アプリケータの支持体の外側部は、前記つけまつ毛をその上に実質的に反転された形状に支持するために、長さ方向で実質的に凸状に屈曲されている、請求項３２に記載の付けまつ毛システム。
【請求項３４】
前記付けまつ毛ホルダーは、反転された付けまつ毛を支持するための可撓バンドを備え、
前記可撓バンドは前記付けまつ毛アプリケータの外側部と入れ子状にするための実質的に凹形状の外側部を有する、請求項３３に記載の付けまつ毛システム。
【請求項３５】
前記付けまつ毛アプリケータの付けまつ毛支持体は、クランプを備え、前記クランプが第１のクランプ部材及び第２のクランプ部材を有し、前記第１のクランプ部材及び前記第２のクランプ部材が前記付けまつ毛ホルダー及び前記付けまつ毛アプリケータをその間に挟持された前記付けまつ毛バンドと概ね(generally)入れ子状にするための可撓バンドの外側部を補完する（complimenting）実質的に凸形状の前記外側部を一緒に形成する、請求項３３に記載の付けまつ毛システム。
【請求項３６】
可撓バンドは、前記可撓バンドの両端部に装着されたスペーサを備え、
前記スペーサは、前記可撓バンド及び前記付けまつ毛アプリケータがそのように入れ子状になっているとき、前記スペーサが、前記第１のクランプ部材及び前記第２のクランプ部材の外側に当接するとともに、前記付けまつ毛アプリケータの外部に支持された前記付けまつ毛ベースが前記第１のクランプ部材及び前記第２のクランプ部材によって把持されるのを防止し、前記第１のクランプ部材及び前記第２のクランプ部材の外側に沿って実質的に整合されるように、所定量だけ前記可撓バンドを前記第１のクランプ部材及び前記第２のクランプ部材からオフセットするように構成されている、請求項３５に記載の付けまつ毛システム。
【請求項３７】
請求項１８に記載の付けまつ毛ホルダーを受け、調整するための反転／装填装置であって、
前記反転／装填装置は、
前記付けまつ毛ホルダーを受けるように構成された受け部材と、
前記まつ毛ホルダーの支持部材を前記第１の構成と前記第２の構成との間で調整するように構成された反転機構とを備える、反転／装填装置。
【請求項３８】
前記支持部材は、前記第１の構成と前記第２の構成との間で変形可能な可撓バンドを備え、
前記可撓バンドは、前記第１の構成における凸形状と前記第２の構成における実質的に凹形状とを有する、請求項３７に記載の反転／装填装置。
【請求項３９】
前記反転機構は、前記可撓バンドの中心領域を定位置に保持するとともに、前記可撓バンドの両端部を引っ張り、前記可撓バンドを前記第１の構成と前記第２の構成との間で曲げる（flex）ように構成されるプラー機構を備える、請求項３８に記載の反転／装填装置。
【請求項４０】
前記反転機構は、前記可撓バンドの両端部を定位置に保持するとともに、前記可撓バンドの中心領域を引っ張り、前記可撓バンドを前記第１の構成と前記第２の構成との間で曲げるように構成されるプラー機構を備える、請求項３８に記載の反転／装填装置。
【請求項４１】
前記反転機構は、前記可撓バンドの中心領域を定位置に保持するとともに、前記可撓バンドの両端部を押して、前記可撓バンドを前記第１の構成と前記第２の構成との間で曲げるように構成されるプッシャ機構を備える、請求項３８に記載の反転／装填装置。
【請求項４２】
前記反転機構は、前記可撓バンドの両端部を定位置に保持するとともに、前記可撓バンドの中心領域を押して、前記可撓バンドを前記第１の構成と前記第２の構成との間で曲げるように構成されるプッシャ機構を備える、請求項３８に記載の反転／装填装置。
【請求項４３】
柄を更に備え、前記反転機構は、前記反転機構を手で動かすための前記柄に組み込まれている、請求項４０に記載の反転／装填装置。
【請求項４４】
柄を更に備え、前記反転機構は、前記反転機構を手で動かすための前記柄に組み込まれている、請求項３８に記載の反転／装填装置。
【請求項４５】
前記可撓バンドは、前記可撓バンドの中心領域と一体化された、又はそれに装着された自己位置合わせポストを備え、前記自己位置合わせポストは、その内側部上の前記可撓バンドの幅に実質的に沿って延在し、前記受け部材は、前記可撓バンドを前記受け部材上に直立して保持するために前記自己位置合わせポストをその中に受けるための位置決め穴を備え、
前記受け部材は、前記可撓バンドの両端部をハウジングの端部上で引っ張り、前記可撓バンドを前記第１の構成から前記第２の構成に曲げるように前記ハウジングの端部内及び端部外にスライド可能に構成されている、請求項３８に記載の反転／装填装置。
【請求項４６】
前記反転機構が自動化された、請求項３７に記載の反転／装填装置。
【請求項４７】
付けまつ毛を眼瞼に付ける方法であって、
支持部材の上に実質的に凹形状又は直線形状の反転された構成で付けまつ毛を支持することと、
反転された前記付けまつ毛の長さを眼瞼にわたって横方向に、支持部材から離れて転動させ、前記付けまつ毛を前記眼瞼に接着することと、を含み、
反転された前記付けまつ毛の長さを前記眼瞼にわたって横方向に、支持部材から離れて転動させるステップは、反転された前記付けまつ毛の一方の端部を前記眼瞼の一方の端部に付けて前記支持部材から離し、前記付けまつ毛の他方の端部が前記支持部材を離れて前記眼瞼の他方の端部に付くまで、前記眼瞼の上を横切って反転された前記付けまつ毛を転動させ続けること、
を含む、付けまつ毛を眼瞼に付ける方法。
【請求項４８】
さらに、接着剤を前記付けまつ毛及び／又は眼瞼に塗布する、請求項４７に記載の方法。
【請求項４９】
付けまつ毛を保持する方法であって、
付けまつ毛を支持することと、
前記付けまつ毛の形状を凸形状から実質的に凹形状に反転することと、
アプリケータ内に装填するための反転された前記付けまつ毛を支持することと、
を含む、付けまつ毛を保持する方法。
【請求項５０】
前記付けまつ毛を支持することが、凸形状を有する前記付けまつ毛を可撓性バンド上に支持することを含み、
前記付けまつ毛の形状を凸形状から実質的に凹形状に反転することが、前記まつ毛を凸形状から実質的に凹形状に反転させるように、前記付けまつ毛を支持する前記可撓性バンドを凸形状から実質的に凹形状に変形することを含む、
請求項４９に記載の方法。
【請求項５１】
付けまつ毛を付ける方法であって、
まつ毛ホルダーにより凹形状に支持されている付けまつ毛をクランプすることと、
前記付けまつ毛を実質的に前記凹形状にクランプしながら、前記付けまつ毛を前記まつ毛ホルダーから引き離すことと、
実質的に前記凹形状の付けまつ毛を解放し、ゆるく運ぶことと、
前記付けまつ毛を眼瞼の上に転動し、前記付けまつ毛を付けまつ毛アプリケータから解放することと、
を含む、付けまつ毛を付ける方法。
【請求項５２】
付けまつ毛ホルダーであって、
第１の構成と第２の構成との間で調整可能な、付けまつ毛を支持するための支持部材を備え、
前記第１の構成では、前記付けまつ毛が前記支持部材の上に凸形状に支持可能であり、前記第２の構成では、前記付けまつ毛が前記支持部材の上に実質的に凹形状に支持可能であり、
前記第１の構成において凸形状の前記付けまつ毛が前記支持部材の上に支持されているとき、前記支持部材は、前記付けまつ毛の形状を前記凸形状から前記実質的に凹形状に反転させるように、前記第１の構成から前記第２の構成に調整可能である、
付けまつ毛ホルダー。
【請求項５３】
前記支持部材は前記第１の構成と前記第２の構成との間で変形可能な可撓性バンドを備える、請求項５２に記載の付けまつ毛ホルダー。
【請求項５４】
付けまつ毛ホルダーを受けて装填するための反転／装填装置であって、
請求項５２に記載の付けまつ毛ホルダーを受けるように構成される受け部材と、
前記付けまつ毛ホルダーを前記第１の構成から前記第２の構成に調整するとともに、前記まつ毛ホルダーが付けまつ毛を支持しており、かつ前記反転／装填装置によって保持されているとき、前記反転／装填装置が、前記第１の構成における前記付けまつ毛ホルダーによって前記凸形状に支持された前記付けまつ毛を保持するように、アプリケータ内に装填するための前記第２の構成に、前記付けまつ毛ホルダーを保持するように構成される反転機構と、
を備えた、反転／装填装置。
【請求項５５】
付けまつ毛アプリケータであって、
閉鎖位置と中立位置との間で調整可能に構成されたクランプを備え、
前記閉鎖位置では、前記クランプは、まつ毛ホルダーによって実質的に凹形状に支持されている付けまつ毛を把持することが可能であるとともに、前記凹形状における前記付けまつ毛を前記まつ毛ホルダーから引き離すことが可能であり、
前記中立位置では、前記付けまつ毛アプリケータが前記付けまつ毛を眼瞼の上を長さ方向に転動でき、前記付けまつ毛を前記付けまつ毛アプリケータから解放できるように、前記クランプは、前記付けまつ毛の把持を解放し、凹形状の前記付けまつ毛をゆるく運ぶ、付けまつ毛アプリケータ。
【発明の詳細な説明】
【技術分野】
【０００１】
本特許文献の開示の一部には、著作権保護の対象となるものが含まれている。著作権者はこの特許文献又は特許開示の何者かによる複製が、特許商標庁の特許ファイル又は記録にある限り、それに対して異議を唱えないが、そうでなければ、いかなる場合もすべての著作権を留保する。
【０００２】
関連出願の相互参照
本出願は、２０１４年１月１７日出願の米国仮特許出願第６１／９２８，９０１号の利益を請求しており、上記に識別されるこの特許出願のすべての内容は、参照により、本明細書において完全に記述されているものとして組み込まれる。
【０００３】
連邦の権利に関する陳述
Ｎ／Ａ
【０００４】
技術分野
実施形態は、付けまつ毛（false eyelash）器具（apparatus、装置）に関し、特に、付けまつ毛（false eyelashes）を眼瞼（eyelids、まぶた）に付けるための付けまつ毛器具に関するが、これに限定されない。実施形態は、付けまつ毛を保持するための付けまつ毛ホルダーに関する。実施形態は、付けまつ毛を付けまつ毛アプリケータ内に装填（loading、ロードする、装着する）するための装填装置に関する。実施形態は、付けまつ毛を受け、それを眼瞼に付けるための付けまつ毛アプリケータに関する。実施形態は、付けまつ毛を支持するための付けまつ毛の方法に関する。実施形態は、付けまつ毛を眼瞼に付けるための方法に関する。実施形態は、前述の器具を動作する方法に関する。
【背景技術】
【０００５】
無声映画の時代から、女性は、その目を魅力的に見えるように人工的な、偽の（fake）、付けまつ毛（false eyelashes）又は複数本の付け睫毛（false lashes）を使用してきた。複数本の付け睫毛を取り付けることの難しさはよく知られている。
【０００６】
付けまつ毛は、取り付けられていないグルーを多く含む区分が眼瞼の不適切な面又は人間の自まつ毛に触れたり、接着したりせずに、区分内に付けなければならない。取り付けられていない区分は、眼瞼及び自まつ毛からほんのミリメートルであり、付けまつ毛を正確で適正な面に付けるのはそれ自体技術である。
【０００７】
付けまつ毛を眼瞼の決まった場所に保持するために付けまつ毛に付けられるグルーが自まつ毛の一部に接触した場合、付けまつ毛は、取り付けが完了する前に、わきへ片付けられなければならず、偶然に塗布されたグルーは、再開前に取り除かなければならない。時間経過後、本来のグルーは付けまつ毛上で硬化し始めることになり、やはり取り除かれなければならず、その後、全く新しく再塗布されなければならない。
【０００８】
多くの場合、眼瞼に予め付けられるあらゆるメークアップは、こうしてグルー除去プロセスにおいて拭き取られ、又は塗りつけられて、そして付けまつ毛を再び付けようとする前に、再塗布されなければならない。
【０００９】
こういうわけで、女性は、プロによる付けまつ毛の取り付けに対して、美容院に＄４５〜＄２００を支払う。美容院が広範に使用されるという事実は、手によるアプリケーション及び先行技術がこの課題を解決していないという事実を裏付けている。
【００１０】
様々な装置が、これを達成するのを助けるために使用されてきた。既知のアプリケータは、容易で厳密なアプリケーション手段を提供するという課題を解決していない。
【００１１】
付けまつ毛を付けるのに使用される器具及び方法を改良する必要性が存在する。
【発明の概要】
【００１２】
一態様によれば、付けまつ毛ホルダーが提供される。付けまつ毛ホルダーは、付けまつ毛を支持するための支持部材（a support member）を有する。支持部材は、第１の構成と第２の構成との間で調整可能に構成される。第１の構成では、付けまつ毛は、支持部材上に凸形状に支持可能である。第２の構成では、付けまつ毛は支持部材上に実質的に凹形状に支持可能である。凸形状の付けまつ毛が支持部材上に第１の構成で支持されるとき、支持部材は、付けまつ毛の形状を凸形状から実質的に凹形状に反転させるように、第１の構成から、支持されたまつ毛が実質的に凹形状である第２の構成に調整可能である。
【００１３】
一アプローチでは、付けまつ毛を取り付ける付けまつ毛ホルダーは、アプリケータ内に挿入できるようにまつ毛を反転できる組み込みポストを有する。装填器／反転器はまつ毛を凸状から凹状に反転する。アプリケータ／クランプが正確で正しい角度にまつ毛を拾い上げるためのポストを有してもよい。
【００１４】
別のアプローチでは、付けまつ毛が例えば、工場設備で予め装填され、かつ予め反転された付けまつ毛ホルダーが設けられ、それによって消費者が反転する必要はない。
【００１５】
別の態様によれば、付けまつ毛アプリケータが提供される。アプリケータは、閉鎖位置と中立位置との間で調整可能に構成されるクランプを有する。閉鎖位置では、クランプは、まつ毛ホルダーによって実質的に凹形状に支持されている付けまつ毛を把持する（gripping）ことができるとともに、凹形状における付けまつ毛をまつ毛ホルダーから引き離すことができる。中立位置では、アプリケータにより、付けまつ毛を長さ方向に眼瞼の上を転動（roll、ロール）し、付けまつ毛をアプリケータから解放することができるように、クランプは、付けまつ毛の把持を解放し、凹形状の付けまつ毛をゆるく運ぶ（loosely carries）。
【００１６】
一アプローチでは、いったんまつ毛がアプリケータ／クランプの内部にあると、付けまつ毛のまつ毛バンドがクランプの縁部から０．２５−５ｍｍ離れ、まつ毛自体が半剛性であり、容易にグルーイングするため、まつ毛バンドを決まった場所にしっかりと保持するので、グルー又は他の好適な接着媒体は容易に塗布され得る。一実施例において、予め塗布された又はユーザに塗布されたグルーストリップが接着媒体として採用され、それによって、グルーを手動で塗布する必要性が除去される。いったんグルーが適度な粘着性まで乾燥すると、アプリケータ／クランプは、「中立」位置に入り、まつ毛が眼瞼の上で「転動される」につれて、アプリケータ／クランプは、測定可能な制限はなく、まつ毛を解放する、すなわち、グルーはまつ毛バンドを眼瞼の上に保持し、アプリケータクランプは保持しない。
【００１７】
いくつかの例では、アプリケータは、再使用可能又は使い捨てとすることができる。アプリケータは、平坦若しくは屈曲又は両方の組み合わせとすることができる。屈曲したアプリケータは、自まつ毛であるように、保管中、まつ毛を「上に」屈曲したままにする。
【００１８】
一アプローチでは、システムは、凹から凸に曲がり、反転する人工的なまつ毛ホルダーを備える。システムは、特定のリテール保持トレイを備えることができる。システムは、付けまつ毛ホルダーを反転する装置を備えることができ、それは、その後、それを新規かつ容易な方法で眼瞼に付けまつ毛を付ける装置内に挿入する。
【００１９】
本技術の別の態様によれば、
付けまつ毛アプリケータは、
眼瞼に付ける付けまつ毛を解放可能に支持するための付けまつ毛支持体と、
前記付けまつ毛を付けるために前記付けまつ毛支持体を操作するための柄部と、
を備え、
前記支持体は、前記柄部の操作により、付けまつ毛を長さ方向で横方向に眼瞼の上で、かつ前記支持体から離れて転動するための長さ方向のロールオン構成で、前記付けまつ毛を転動可能に支持するように構成されている。
【００２０】
本技術の更に別の態様によれば、
付けまつ毛器具（装置）は、
ベースと複数本の付け睫毛を有する付けまつ毛であって、前記ベースが眼瞼に接着するための内側部と前記複数本の付け睫毛（said false eyelashes）が前記ベースから離れて延在する外側部とを有する、前記付けまつ毛と、
前記付けまつ毛をアプリケータ内に装填するのに使用する付けまつ毛ホルダーであって、実質的に凸形状の外側部を有する支持部材を有する、前記付けまつ毛ホルダーと、
を備え、
前記付けまつ毛が、前記支持部材の外側部に解放可能に支持されるとともに、前記まつ毛バンドの内側部が前記支持部材の外側部に対向し、前記まつ毛バンドの外側部が前記支持部材の外側部から離れて外側に向かって対向するように配向され、
前記付けまつ毛ベースの外側部及び前記ベースの内側部が、前記支持部材の外側部に、かつそれと入れ子状に、それぞれ実質的に凹形状及び凸形状に支持されている。
【００２１】
本技術の更に別の態様によれば、
付けまつ毛を眼瞼に付ける方法は、
付けまつ毛を提供することと、
実質的に凸形状に前記付けまつ毛を第１の構成における支持部材上に支持することと、
前記支持部材を前記第１の構成から前記第２の構成に調整し、前記付けまつ毛を実質的に凹又は直線形状に反転させることと、
接着剤を前記付けまつ毛及び／又は眼瞼に塗布することと、
反転された前記付けまつ毛の前記長さを眼瞼にわたって横方向に、前記支持体から離れて転動させ、前記付けまつ毛を前記眼瞼に接着することと、
を含む。
【００２２】
本技術の更に別の態様によれば、
付けまつ毛を保持する方法は、
付けまつ毛を支持することと、
前記付けまつ毛の形状を凸形状から実質的に凹形状に反転することと、
アプリケータ内に装填するための反転された前記付けまつ毛を支持することと、
を含む。
【００２３】
本技術の更に別の態様によれば、
付けまつ毛を付ける方法は、
まつ毛ホルダーにより凹形状に支持されている付けまつ毛をクランプすることと、
前記付けまつ毛を実質的に前記凹形状にクランプしながら、前記付けまつ毛を前記まつ毛ホルダーから引き離すことと、
実質的に前記凹形状の付けまつ毛を解放し、ゆるく運ぶことと、
前記付けまつ毛を眼瞼の上に転動し、前記付けまつ毛を前記アプリケータから解放することと、を含む。
【００２４】
更に別の態様によれば、本技術は、本明細書に記載する１つ又は複数の構成的、機能的又は装飾的特徴を備える１つ又は複数の装置又は方法を対象とする。
【図面の簡単な説明】
【００２５】
【図１】一実施形態に係る可撓バンドの形態における可撓性反転可能な付けまつ毛ホルダーの上面図である。
【００２６】
【図２】図１の可撓バンドの後面、底面斜視図である。
【００２７】
【図３】図１のホルダーと、一実施例に係る可撓バンドに取り付けるのに準備して配設されている付けまつ毛の上面図である。
【００２８】
【図４】一実施形態に係る可撓バンドに解放可能に接着された付けまつ毛の前面図である。
【図５】一実施形態に係る可撓バンドに解放可能に接着された付けまつ毛の斜視図である。
【００２９】
【図６】一実施形態に係る付けまつ毛ホルダー上に支持された付けまつ毛を保持する付けまつ毛トレイの斜視図である。
【００３０】
【図７】一実施形態に係る後退位置における付けまつ毛の反転−装填装置の斜視図である。
【００３１】
【図８】一実施形態に係る可撓バンド受け位置に示す図７の反転−装填装置の斜視図である。
【００３２】
【図９】反転−装填装置の可撓バンド受け端部と、一実施形態に係る反転−装填器のプラーに挿入される準備ができた図８の可撓バンドの部分後面、上面斜視図である。
【００３３】
【図１０】一実施形態に係る反転−装填装置の可撓バンド受け端部とその中に挿入された図９の可撓バンドの部分上面斜視図である。
【００３４】
【図１１】一実施形態に係る装填された可撓バンド及びその上に運ばれた人工付けまつ毛を凹から凸に反転するために、反転−装填器の親指ボタン及びプラーが引き下げられ得る方向を示す部分斜視図である。
【００３５】
【図１２】反転−装填器のプラーが図１１に示す方向に引き下げられた結果、例示的な反転された位置にある装填された可撓バンドを示す、図１１に示す反転−装填器の部分斜視図である。
【００３６】
【図１３】一実施形態に係る、反転される準備ができた、反転−装填器の受け端部に装填された、付けまつ毛を運ぶ可撓バンドの部分上面図である。
【００３７】
【図１４】一実施形態に係る、例示的な反転された位置で、まつ毛アプリケータ内に装填される準備ができた、装填された可撓バンドとその上に運ばれた付けまつ毛を示す、反転−装填器の受け端部の部分上面図である。
【００３８】
【図１５】一実施形態に係るまつ毛アプリケータ内に装填される準備ができた、装填された予め反転した可撓バンドとその上に運ばれた付けまつ毛を有する、一実施形態に係る可撓バンドホルダーの上面図である。
【００３９】
【図１６】一実施形態に係る開放位置にあるアプリケータの斜視図である。
【００４０】
【図１７】一実施形態に係る閉鎖位置にある図１６のまつ毛アプリケータの上平面図である。
【００４１】
【図１８】一実施形態に係る図１６のアプリケータの親指で動作されるラッチの部分の、分離された側面図である。
【００４２】
【図１９】図１６のアプリケータの上半部の分離された側面図である。
【００４３】
【図２０】図１６のアプリケータの下半部の分離された側面図である。
【００４４】
【図２１】把持位置における図１６のアプリケータの側面図である。
【００４５】
【図２２】中立位置における図１６のアプリケータの側面図である。
【００４６】
【図２３】中立解放モードにおける図２１のアプリケータの前部の部分詳細側面図である。
【００４７】
【図２４Ａ】一実施形態に係るヒンジ部の楕円形軸穴及び円形軸穴を示す、図１９及び図２０に示すヒンジ部の部分拡大斜視図である。
【００４８】
【図２４Ｂ】一実施形態に係るアプリケータスペーサ機構を詳細に示す部分拡大側面図である。
【００４９】
【図２４Ｃ】一実施形態に係るＣ字状のヒンジによりヒンジ結合される前のアプリケータの上半部及び下半部の後部斜視図である。
【００５０】
【図２５】反転−装填器の受け端部に装填された可撓バンドに解放可能に支持された反転された付けまつ毛であって、一実施形態に係る図１６の開放まつ毛アプリケータ内に部分的に挿入された反転された付けまつ毛の上面図である。
【００５１】
【図２６】一実施形態に係る、図２５に示すアプリケータの各半部を閉じた結果、反転され、また閉鎖されたまつ毛アプリケータにより保持された付けまつ毛の詳細な上面図である。
【００５２】
【図２７】一実施形態に係る眼瞼に付けるために配向された、アプリケータ内の反転された付けまつ毛の部分上面図である。
【００５３】
【図２８】一実施形態に係る付けまつ毛を眼瞼に付けるアプリケータを示す。
【００５４】
【図２９】アプリケータが反転された付けまつ毛を眼瞼の上で、かつそれにわたって横方向に転動するとき、アプリケーションプロセスを継続する図２７のアプリケータを示す。
【００５５】
【図３０】完了した付けまつ毛のアプリケーションを示す。
【００５６】
【図３１】一実施形態に係るまつ毛ホルダー及びその上で運ばれる反転された付けまつ毛をアプリケータ内にうまく動かすのに用いられる図１５の携帯用ホルダーを示す。
【図３２】一実施形態に係るまつ毛ホルダー及びその上で運ばれる反転された付けまつ毛をアプリケータ内にうまく動かすのに用いられる図１５の携帯用ホルダーを示す。
【００５７】
【図３３】別の実施形態に係るまつ毛ホルダー反転装置の斜視図である
【００５８】
【図３４】図３３の装置の分解図である。
【００５９】
【図３５】図３３に示す装置の中央長手方向軸Ｂに沿った長手方向の断面図である。
【００６０】
【図３６】未装填で後退した図３３のまつ毛ホルダー反転装置の上部平面図である。
【００６１】
【図３７】一実施形態に係る自然に反転されたまつ毛ホルダーとともに装填された図３６のまつ毛ホルダー反転装置の上部平面図である。
【００６２】
【図３８】一実施形態に係るまつ毛ホルダーが第２の構成（反転された又は略平坦な）から第１の構成（凸）に変化した、伸張された構成の装填されたまつ毛ホルダー反転装置の上部平面図である。
【００６３】
【図３９】図３８に示す装置の上部平面図であり、三日月状の付けまつ毛の、装置によって第１の構成に保持されたまつ毛ホルダーへのアプリケーションを示す。
【００６４】
【図４０】反転装置が後退した結果としてまつ毛ホルダーが第２の構成に戻った、後退した構成の、装填されたまつ毛ホルダー反転装置の上部平面図である。
【００６５】
【図４１】別の実施形態に係るまつ毛ホルダー反転装置の上部平面図である。
【００６６】
【図４２】一実施形態に係る、付けまつ毛ホルダー及びデフォルトの第２の構成におけるその上の付けまつ毛の上部平面図である。
【００６７】
【図４３】一実施形態に係るボックス内に位置可能なトレイホルダーに保持された反転されたまつ毛ホルダー及びその上に運ばれる反転された付けまつ毛の斜視図である。
【００６８】
【図４４】別の実施形態に係る開放構成におけるアプリケータの斜視図である。
【００６９】
【図４５】一実施形態に係る部分的に閉鎖構成における図４４のアプリケータ及びクランピング部材をともに締結するためのクリップの斜視図である。
【００７０】
【図４６】一実施形態に係るアプリケータ及び閉鎖構成でクランピング部材をともに保持するクリップの斜視図である。
【００７１】
【図４７】一実施形態に係るクリップが取り除かれた中立構成におけるアプリケータの斜視図である。
【００７２】
【図４８】更に別の実施形態に係るアプリケータの側面図を示す。
【００７３】
【図４９】更に別の実施形態に係るアプリケータの長手方向の断面図を示す。
【００７４】
【図５０】更に別の実施形態に係るアプリケータの長手方向の断面図を示す。
【００７５】
【図５１】更に別の実施形態に係るアプリケータの側面図を示す。
【００７６】
【図５２】更に別の実施形態に係るアプリケータの側面図を示す。
【００７７】
【図５３】更に別の実施形態に係るアプリケータの斜視図を示す。
【００７８】
【図５４Ａ】一実施形態に係るその上に装填された反転された付けまつ毛を人間の眼瞼に付けるのに使用される図５３のアプリケータの図を示す。
【図５４Ｂ】一実施形態に係るその上に装填された反転された付けまつ毛を人間の眼瞼に付けるのに使用される図５３のアプリケータの図を示す。
【図５４Ｃ】一実施形態に係るその上に装填された反転された付けまつ毛を人間の眼瞼に付けるのに使用される図５３のアプリケータの図を示す。
【図５４Ｄ】一実施形態に係るその上に装填された反転された付けまつ毛を人間の眼瞼に付けるのに使用される図５３のアプリケータの図を示す。
【００７９】
【図５５】別の実施形態に係るアプリケータを中立／開放構成にバイアスする（biasing、バイアスをかける、付勢する、偏らせる）シムクランプを有するアプリケータの斜視図を示す。
【００８０】
【図５６】別の実施形態に係るアプリケータを閉鎖構成にバイアスするシムクランプを有する図５５のアプリケータの斜視図を示す。
【００８１】
【図５７】オフ中心軸に沿った、図５５に示す切断面「Ｃ−Ｃ」に対して矢印の方向の断面図（断面「Ｃ−Ｃ」）である。
【００８２】
【図５８】アプリケータの中央長手方向軸に沿った、図５５に示す切断面「Ｄ−Ｄ」に対する矢印の方向の断面図（断面「Ｄ−Ｄ）である。
【００８３】
【図５９】図５５に示す切断面「Ｅ−Ｅ」に対する矢印の方向のアプリケータにわたる断面図（断面「Ｅ−Ｅ」）である。
【００８４】
【図６０】更に別の実施形態に係るアプリケータに接着された反転された付けまつ毛を有するアプリケータの斜視図である。
【００８５】
【図６１】図６０に示すアプリケータ及び付けまつ毛の上部平面図である。
【００８６】
【図６２】アプリケータに付けられた付けまつ毛を有しない図５９のアプリケータの斜視図である。
【００８７】
【図６３】別の実施形態に係る反転装填装置の斜視図である。
【００８８】
【図６４】一実施形態に係る図２１のアプリケータとドッキングされた図６３の反転−装填装置の斜視図である。
【発明を実施するための形態】
【００８９】
以下の説明では、限定ではなく、説明の目的上、本発明の完全な理解を与えるために、特定の実施形態、手順、技法などの特定の詳細について述べる。しかしながら、これらの特定の詳細から逸脱する他の実施形態で本発明を実施できることは当業者には明らかであろう。
【００９０】
以下の説明において、特定の専門用語は便宜上使用するものであって、限定的なものではない。「右」、「左」、「上、頂（ｔｏｐ）」、「底（ｂｏｔｔｏｍ）」という語は、参照する図面における方向を示している。特許請求の範囲及び明細書の対応する部分で使用される「ａ」及び「ｏｎｅ」という語は、特に具体的な言及がない限り、１つ又は複数の参照される項目を含むものとして規定される。この用語は上記に特に述べられた用語、その派生語、及び同様の意味の単語を含む。「Ａ，Ｂ，又はＣ」のように２つ以上の項目のリストに続く句「少なくとも１つの」は、Ａ，Ｂ，又はＣのうち任意の個々並びにそれらの任意の組み合わせを意味する。
【００９１】
本発明を説明する目的上、ここに好ましい実施形態を示す図面がある。しかし、本発明は図示される正確な構成及び手段に限定されるものではないことが理解される。
【００９２】
ここで、図面を参照する。その図面においては、実施形態の様々な要素に符号が付され、当業者が本発明を製造及び使用できるように、実施形態について説明する。構成要素、プロセス工程及び他の要素に関する特定の言及は、限定的であることを意図していない。また、代わりの図面を参照すると、同様の部品には、同一の参照番号が付されていることを理解されよう。また、図面が概略的であり、当業者の読者に対する手引きのために提供され、必ずしも一定の縮尺で示されていないことも留意されよう。むしろ、図面に示す様々な図の縮尺、アスペクト比、及び構成要素の個数は、特定の特徴又は関係を理解しやすくするために、故意に変形されている場合もある。
【００９３】
「付けまつ毛（false eyelash）」又は「（複数の）付けまつ毛（false eyelashes）」という語は、本明細書ではストリップ内に、又はバンド（ここではベースとも呼ばれる）上に配設され、着用されるように設計される任意の（複数本の）付け睫毛（false lashes）を参照する。付けまつ毛は、付けまつ毛を形成するのに好適で、また後述するように付けまつ毛を反転させ（inverted）、眼瞼に付けることが可能な任意の材料から作製され得る。例として、付けまつ毛は、人毛、獣毛、毛皮、合成／人工材料、又はこれらの任意の組み合わせによって作製され得る。いくつかの例では、まつ毛は、短期間着用されるように設計された一時的なまつ毛とすることができる。
【００９４】
ここで、１つ又は複数の実施形態に係る付けまつ毛をアプリケータ内に装填するための付けまつ毛ホルダーについて、添付図面を参照して説明する。図１は、一実施形態に係る付けまつ毛ホルダーの上面図である。図２は、図１のホルダーの後面、底面斜視図である。付けまつ毛ホルダー１０は、付けまつ毛を支持するための支持部材１４を有する。
【００９５】
図３は、一実施例による、付けまつ毛ホルダー１０とホルダー１０に取り付ける準備ができて配設されている付けまつ毛（a false eyelash）５０の上面図である。付けまつ毛５０のまつ毛ホルダー１０への取り付けは、例えば、付けまつ毛の製造業者及び／又は使用された付けまつ毛を再利用したい人々によって実施され得る。図４及び図５は、それぞれ、付けまつ毛５０をそこに取り付けたまつ毛ホルダー１０の前面図及び斜視図である。
【００９６】
図３〜図５に最もよく示すように、付けまつ毛５０は、ベース５１と、そのベースから離れて外側に延在する（複数本の）付け睫毛５２（false lashes、付けまつ毛の毛（複数本の毛）、付けまつ毛毛先（複数毛先）、付けまつ毛毛束）とを有する。付けまつ毛ベース５１は、眼瞼に接着するための内側部５３と、付け睫毛５２がベース５１から離れて延在する外側部５４とを有する。いくつかの実施形態では、付けまつ毛５０は、従来型の三日月状の付けまつ毛であり、それは分離されると、ベースの外側部５４及びベースの内側部５３がそれぞれほぼ(generally)凸及び凹形状である、凸形状を一般に(generally)想定する、又はデフォルトで凸形状になる。凸又は凸形状は、本明細書において、目の外部のように、外側に向かって屈曲する外形又は表面を有することを意味するのに用いられる。凹又は凹形状は、本明細書において、凸部の反対側が、すなわち、内側に屈曲する外形又は表面を有することを意味するのに用いられる。
【００９７】
別の実施形態では、付けまつ毛は、分離されると、他のデフォルトの形状を想定することができる。
【００９８】
詳細に後述するように、まつ毛ホルダー支持部材１４は、第１の構成と第２の構成との間で調整可能に構成される。
【００９９】
支持部材１４の第１の構成（configuration、コンフィグレーション、構造、配置、形態、形状）では、付けまつ毛５０は、支持部材１４上に凸形状に支持可能である。例として、第１の構成における支持部材に支持された図３の付けまつ毛５０を、一実施形態に係る図４及び図５に示す。第１の構成では、支持部材１４は、付けまつ毛取付面として機能する実質的に凸形状の外側部１５を有する。付けまつ毛５０は、支持部材の外側部１５に解放可能に支持され、ベースの内側部５３が支持体(support)の外側部１５に対向し、それに取り付けられるとともに、ベース外側部５４が支持体(support)の外側部１５から離れて外側に対向するように配向される（orientated、方向づけられる）。この方法により、付けまつ毛ベースの外側部５４及びベースの内側部５３は、支持部材の外側部１５の上にそれぞれ実質的に凸形状及び凹形状に、かつ支持部材の外側部１５と入れ子状に（in nested relation）支持される。付けまつ毛５０は、支持部材の外側部１５及び／又はベースの内側部５３に付けられるグルー又はその他の粘着層２１などの好適な接着媒体により、支持部材１４に解放可能に接着され得る（図３参照）。別の実施形態では、接着媒体以外の取付手段が採用され得る。他の実施形態では、付けまつ毛を支持部材に取り付けるための取付手段は、まつ毛ベース及び支持部材の両方の上に置かれたクリップ、ラッチ、磁石材料、又は、付けまつ毛を必要な構成で支持部材に解放可能に保持することが可能な任意の他の好適な保持手段とすることができる。
【０１００】
支持部材１４の第２の構成では、付けまつ毛５０は支持部材１４に実質的に凹形状に支持可能である。例として、第２の構成で支持部材１４に支持された付けまつ毛５０を一実施形態に係る図１４に示す。第２の構成では、支持部材の外側部１５は実質的に凹形状である。付けまつ毛５０は、支持部材の外側部１５に解放可能に支持され、ベースの内側部５３が支持体(support)の外側部１５に対向するとともに、ベースの外側部５４が支持体の外側部１５から離れて外側に対向するように配向される。この方法により、付けまつ毛のベースの外側部５４及びベースの内側部５３は、支持部材の外側部１５に対して入れ子状にそれぞれ実質的に凹形状及び凸形状に支持される。
【０１０１】
図１〜図５に示す実施形態では、支持部材１４は、支持部材の形状を第１の構成における実質的に凸形状から、第２の構成における実質的に凹形状に、長さ方向に（lengthwise、縦に）反転できる（invertible）程十分な弾性を有する材料による可撓性ストリップ又はバンドから作製される。かかる可撓性ストリップ又はバンドから作製される支持部材１４は、本明細書において「可撓バンド」とも呼ばれる。一実施形態では、材料による可撓性ストリップ又はバンドは、ゴムストリップとすることができる。他の実施形態では、可撓性ストリップ又はバンドは、例えば、限定するものではないが、プラスチック、金属、天然及び／又は合成などの、本実施形態を参照して本明細書に記載する方法で曲げる、かつ反転することができる任意の他の好適な可撓性材料とすることができる。
【０１０２】
更に、他の実施形態では、支持部材１４は、ストリップ又はバンドの形態をとる必要はないが、外側部１５を有する材料による任意に形成された可撓性本体とすることができる。必要なことは、可撓性本体が外側部１５を第１の構成における実質的に凸形状に維持するとともに外側部１５を第２の構成における実質的に凹形状に変形できるために必要な材料特性を有することだけである。
【０１０３】
更に他の実施形態では、支持部材は更に他の形態をとることができる。例えば、支持部材は、凸形状と凹形状との間でその長さに沿って変化することが可能な構造又は機構とすることができ、必ずしも可撓性又は弾力性のある材料から作製される必要はない。更に他の実施形態では、支持部材は、添付図面に示す連続固形材料から作製されることなく、支持部材が第１及び第２の構成をなし、その間で調整可能とされている場合、支持部材１４の同じ全体形状を有する、又は支持部材の外側部１５の全体形状を有する、ウェブ状又はフレーム構造などの非連続構造とすることができる。いくつかの実施形態では、支持部材は、支持部材を凸形状と凹形状との間で変化させるために互いに対して移動可能な剛性の部品による構造から作製される。
【０１０４】
凸形状の付けまつ毛５０が第１の構成で支持部材１４に支持されるとき、支持部材１４は、付けまつ毛５０の形状を凸形状から実質的に凹形状に反転させるように第１の構成から第２の構成に調整可能である。以下で一層明らかになるように、第２の構成における付けまつ毛のベースの曲率半径は、本技術の一態様によるアプリケータ（例えばアプリケータ２００参照）の外側部の曲率半径にほぼ(generally)対応する半径である。いくつかの実施形態では、アプリケータ内に装填された付けまつ毛をアプリケータによって長さ方向で横方向に眼瞼の上でかつアプリケータから離れて回転可能にすることが可能な任意の曲率半径が、想定される。
【０１０５】
いくつかの実施形態では、付けまつ毛の形状は、第２の構成における凹形状に完全に反転される必要はないが、付けまつ毛を、第２の構成で付けた場合、依然としてアプリケータによって眼瞼の上を転動可能にすることができる場合がある。他の実施形態では、支持部材１４の第２の構成では、付けまつ毛５０は、支持部材１４上に凹形状ではなく、実質的に直線又は平坦形状に支持可能である。支持部材１４を第１の構成から第２の構成に調整すると、付けまつ毛５０の形状は部分的にのみ反転し、それにより、付けまつ毛５０を完全に反転することなく、凸状から実質的に直線状に変化する。また更なる実施形態では、第２の構成において、付けまつ毛５０は凸形状に支持されたままであるが、眼瞼の曲率半径と比較して非常に、非常に大きな曲率半径を有する。
【０１０６】
詳細に後述するように、付けまつ毛５０の形状に前述したように変化させるために、支持部材１４を第１から第２の構成に調整すると、付けまつ毛５０は、付けまつ毛５０を眼瞼上で転動するのに必要な形状で、アプリケータ内に容易に装填され得る。
【０１０７】
ここで本技術の別の態様を説明する。一アプローチでは、支持部材１４は、支持部材反転装置（inverter device）を用いて（with the aid of、の助けをかりて、と協力して）第１の構成から第２の構成に調整可能である。ここで一態様に係る反転装置について、図７〜図１４の添付図面を参照して説明する。
【０１０８】
図７は、一実施形態に係る後退位置における付けまつ毛反転装置１００の斜視図である。図８は、一実施形態に係る可撓バンド受け位置に示す反転装置１００の斜視図である。反転装置１００は、付けまつ毛ホルダー１０を受けるように構成される受け部材１０５を有する。反転装置１００は、機械的に可撓バンド（flex-band、フレックスバンド）を第１の構成から第２の構成に調整し、必要であれば、付けまつ毛を付けまつ毛アプリケータに装填するために、第２の構成で可撓バンドを保持するように構成される反転機構を備える。
【０１０９】
一実施形態では、反転機構は、柄ハウジング１０７と、ハウジング１０７内にスライド可能に装着された付けまつ毛ホルダー受け部材１０５により形成されたプラーシステムである。柄ハウジング１０７は一般に(generally)、柄端部１０２から柄内に長手方向に延びる開放端の内部空洞１０９を有する鞘状のケーシング又は構造である。空洞１０９は、略矩形(a generally rectangular)断面を有する。受け部材１０５が、空洞１０９内で柄端部１０２にスライド可能に装着されるので、受け部材１０５は空洞内で、受け部材１０５の遠位端部が柄端部から突出する伸張位置と、受け部材１０５がハウジングの長手方向軸Ａに沿って柄端部１０２内に後退され又は引かれ、受け部材の遠位端部が柄端部１０２内に位置する後退位置との間でスライドできる（図７及び図８参照）。受け部材１０５は、親指ボタン１０８を動かすのに応じてハウジング空洞内を長手方向にスライドできるように寸法決めされた実質的に平面状のスライダ部材である。
【０１１０】
いくつかの実施形態では、スライド可能ボタンは、柄ハウジングから突出し、柄ハウジングの外部において動かすための親指又は指接触表面部を提供する。ボタンは受け部材１０５に連結されるので、ボタンをスライド移動すると、受け部材は伸張位置と後退位置との間でスライド移動する。伸張位置と後退位置との間で受け部材を動作させるために手動又は自動で動作可能な任意のアクチュエータ機構が想定される。
【０１１１】
受け部材１０５は、可撓バンドが第１の構成をなし、部材１０５がスライド可能な面に対して直立又は垂直な位置にある受け部材１０５において、安全に付けまつ毛ホルダー１０を保持するように構成される（図９及び図１０参照）。付けまつ毛ホルダー１０がそのように保持されるとき、受け部材１０５を柄空洞１０９内に後退させると、可撓バンドの両端部は柄ハウジング端部に当接し（abut）、可撓バンドは第１の構成から第２の構成に調整される。
【０１１２】
受け部材１０５は、使用される支持部材１４のタイプと協働するように適応され、配設される。図７〜図９の実施形態では、受け部材１０５は、最初に、入れ子状に実質的に凸形状における可撓バンドを支持するための実質的に凸形状の外端側部１０６を有する。受け部材１０５及びまつ毛ホルダー１０は互いに協働し、係止するように設計されるので、可撓バンドが受け部材１０５に第１の構成で保持されるとき、可撓バンドの略中央(a generally central)セグメントは、部材１０５に定位置に保持されるが、残りの可撓バンドは自由に曲がり、湾曲することができる。一実施形態では、これは、ホルダー１０に、図７〜図９に示す可撓バンドの内側部１６、外側部１５の反対側に略中央(generally centrally)に一体化、又は装着された位置合わせポスト（alignment post）１１を含めることにより、達成される。図９に最もよく示すように、ポスト１１は、ポストの長手方向縁部が内側部１６に固定されてバンドの内側部１６に沿って上部から底部に延在する。
【０１１３】
受け部材１０５は、ホルダー１０を直立して受け部材１０５に保持するために位置合わせポスト１１をその中に受け入れるための、柄長手方向軸に垂直に延在する位置決め穴（locating hole）１０１を含む。位置決め穴１０１は、外部から位置決め穴内にアクセス間隙又は開口部を付与するように、受け部材外端側部１０６の周縁部に連続して形成される。可撓バンドが位置決め穴１０１に挿入された位置合わせポスト１１によって受け部材１０５に保持されているとき、間隙により、可撓バンドは外端側部１０６に重なりあうことができる。図面に示す実施形態では、ポスト１１はヘッド１７を有し、それは、ポスト本体１２が位置決め穴１０１に配置されるとき、受け部材１０５の上面で着座するため、ポスト本体１２より大きな断面を有する。ポスト１１は位置決め穴１０１と一緒に、支持部材１４が外端側部１０６に張り出して、受け部材１０５上の正しい向き及び高さに可撓バンドを保持及び自己整合するように機能する。例として、図１０は、一実施形態に係る、その中に挿入された可撓バンドを示す反転装置１００の上面斜視図である。
【０１１４】
図面では、ポストヘッド１７は、凸状の側部を有する略三角形状(a generally triangular)の断面を有し、ポスト本体１２は略円形(generally circular)断面であるが、他の形状の断面も想定される。更に、他の実施形態では、ポスト１１はより大きなポストヘッドを有する必要はなく、単に、摩擦嵌め(frictional fit)によって可撓バンドを受け部材１０５の正しい高さで保持するポストとしてもよい。可撓バンドの筒形端部片は、詳細に後述するスペーサ１３である。
【０１１５】
図１１は、親指を動かす準備として伸張位置において、装填された可撓バンドとその上に運ばれた任意の付けまつ毛を凸から凹に反転するために親指ボタン１０８及び受け部材１０５が引き下げられる方向を示す、反転器１００の斜視図である。図１２は反転器（inverter）１００の斜視図であり、それは受け部材１０５が図１１に示す方向に引き下げられた結果、例示的な反転位置における装填された可撓バンドを示す。
【０１１６】
図１０〜図１２に示すように、付けまつ毛ホルダー１０が、そのように第１の構成で伸張位置における受け部材１０５によって保持されるとき、受け部材１０５を空洞１０９内に後退させると、実質的に凹形状の可撓バンドはハウジング端部１０２に向かって引かれ、可撓バンドの遠位両端部１３は端部１０２に当接する。可撓バンドは（ポスト縁部及び遠位両端部１３に取り付けられた中央セグメントを除いて）自由に曲がることができるので、受け部材１０５を更に後退させると、可撓バンドの形状が実質的に凸形状から実質的に凹形状に反転し、それによって可撓バンドが第２の構成に調整される。位置合わせポストヘッド１２は、柄ハウジング端部開放切込み１１０内に受けられ、受け部材１０５を、反転させるのに十分に後退させることができる。
【０１１７】
図７及び図８に示す実施形態では、柄ハウジング１０７は実質的に平面状であり、受け部材１０５は実質的に平面状のスライダであり、空洞１０９は開放端の長手方向スロットの形態である。しかしながら、他の実施形態では、柄ハウジング１０７、受け部材１０５及び空洞１０９は、受け部材及び反転機構に所望の機能を実施させることができる他の形状及び構成とすることができる。
【０１１８】
更に、他の実施形態では、柄ハウジング、受け部材及び空洞は、反転器を片手動作できるように配設される必要はない。他の実施形態では両手動作が想定される。また更なる実施形態では、反転装置は自動化される。例えば、電子、磁石及び／又は液圧アクチュエータを、親指作動ボタンに代えて、又はそれに加えて、受け部材を伸張位置と後退位置との間で移動させるために、反転装置に組み込んでもよい。自動アクチュエータは、手動で、又はコンピュータ若しくは電子制御装置を用いて制御され得る。
【０１１９】
更に他の実施形態では、プラーシステム（a puller system、引張りシステム）を採用するのではなく、反転装置がプッシャシステム（a pusher system、伸しシステム）として形成される。例えば、一実施形態では、プッシュ型反転装置を採用することができ、それは、可撓バンドを押して可撓バンドを反転するように構成される。実施形態を参照して本明細書に記載するように、可撓バンドの形状を反転、部分的に反転、又は変更することが可能な任意の手段が想定される。
【０１２０】
図面のうち図７〜図１４に示す実施形態では、反転装置１００は、バンド及びその上に装着された任意のまつ毛を反転させるように可撓バンドである支持部材１４を調整するように構成される。しかしながら、他の実施形態では、反転装置は、他の実施形態を参照して本明細書に記載するように部分的にのみ反転させる又は形状を変更するように、可撓バンドを調整するよう構成され得ることが理解されることであろう。他の実施形態では、反転装置は本明細書に記載する実施形態の他のタイプの支持部材を調整するように構成されることも想定される。
【０１２１】
本実施形態の反転装置及び付けまつ毛ホルダーにより、たやすく付けまつ毛が反転される。ユーザは、図１３に示すように、単に確実に普通の三日月状の付けまつ毛５０を第１の構成における可撓バンドに接着し、可撓バンドを反転装置１００内に装填し、その後、可撓バンドをそれ自体の上で引っ張り、第２の構成にし、そしてその上に装着された付けまつ毛５０を凸から凹形状に変化させるように反転装置を動作させる。図１４は、反転器１００の上面図であり、付けまつ毛５０が例示的な反転された位置にあり、一実施例に係るまつ毛アプリケータ内に装填される準備ができている、第２の構成における可撓バンドを示す。
【０１２２】
一実施形態では、付けまつ毛５０が可撓バンド上に第１の構成で予め支持されているので、エンドユーザは、まつ毛ホルダーを反転装置内に装填し、付けまつ毛５０を反転するように反転器を作動することだけが必要となる。この目的を達成するために、付けまつ毛５０をその上に解放可能に接着させたまつ毛ホルダー１０が、反転させる準備ができたトレイ又は他のホルダーに設けられてもよい。例として、図６は、一実施形態に係る、付けまつ毛５０が可撓バンドに解放可能に接着された、第１の構成における付けまつ毛ホルダー１０を保持するリテールホルダートレイと、ホルダートレイ６２が挿入された関連リテールボックス６１の斜視図である。
【０１２３】
一態様では、本明細書に記載する実施形態のまつ毛ホルダーの可撓バンド又は他の支持部材は、ポリプロピレンなどの「メモリ」特性を有する材料から製造され、それによって、可撓バンドは、第１又は第２の構成で保持されることから解放されると、自然にデフォルト構成に戻る。いくつかの実施形態では、可撓バンドのデフォルト構成は、可撓バンドが凹状又は半月状形状である第１の構成であり、また可撓バンドが第２の構成から解放されると、自然に戻る第１の構成である。反転装置から可撓バンドを取り除くと、可撓バンドは自然と第１の構成に戻る、又ははね返るようになる。このような場合、反転−装填装置（inverter-loader device）は、まつ毛をアプリケータ内に装填しながら、可撓バンドを反転構成に維持するのに使用され得る。
【０１２４】
しかしながら、他の実施形態では、可撓バンドは、かかるメモリタイプのプラスチック又は他の材料から作製される必要はなく、反転−装填装置から解放された後、異なる形状に戻ってもよいし、第２の構成のままでもよい。
【０１２５】
一態様によれば、携帯用ホルダーは、可撓バンド又は他の支持部材を第２の構成で、またその上のまつ毛を保持するように設けられる。一実施形態に係る１つのかかるホルダーを図１５に示す。携帯用ホルダー１０００は、反転器の柄ハウジング端部１０２と同様の端部を有するが、このような反転機構は何も含んでいない。ホルダー１０００は、まつ毛５０をアプリケータ内に装填するために、ユーザが第２の構成における可撓バンドを把持することができる柄として機能する。
【０１２６】
いくつかの実施形態では、可撓バンドは、可撓バンドが反転又は実質的に直線形状をとる第２の構成であるデフォルト構成を有するように製造される。可撓バンドが自然と反転された又は略平坦形状を維持するように可撓バンドを製造することは、可撓バンドが予め反転されてエンドユーザに配達されることになっている用途には有益である。というのは、そうすると、確実に、可撓バンドが使用に際し予め反転されたままであるからである。これは、例えば、使い捨て用途及び他の一回限りの使用用途では適切である。以下で一層明らかになるように、エンドユーザが可撓バンドを反転し、この可撓バンドを反転された構成で維持するために最初に反転装置を使用する必要はなく、その上で運ばれる反転された付けまつ毛を容易にアプリケータ内に装填できる点で、自然にデフォルトで反転された形状となる可撓バンドはまた有利である。
【０１２７】
上述したように、いくつかの実施形態では、可撓バンドは、製造業者又は他のユーザによって予め反転される場合がある。かかる実施形態では、付けまつ毛をその上で運ぶ可撓バンド又は他の支持部材は、反転装置１００と同じ又は同様で、自動又は手動で動作される好適な反転装置を用いて、第２の構成（反転又は直線）に調整される。その後、予め反転されたまつ毛ホルダー及び付けまつ毛は、同じユーザによる保管及び後の使用のため、又はエンドユーザへの配達のため、反転装置から取り除かれる。
【０１２８】
ここで、一態様に係る付けまつ毛を眼瞼に付けるためのアプリケータを参照する。付けまつ毛アプリケータは、眼瞼に付ける反転された又は略平坦な形状における付けまつ毛を解放可能に支持するための付けまつ毛支持体と、付けまつ毛を付けるために付けまつ毛支持体を操作するための柄部（a handle portion）とを有する。下記の実施形態を参照して明らかになるように、アプリケータ付けまつ毛支持体及び／又は柄部は様々な形態をとることができる。
【０１２９】
詳細に後述するように、支持体は、柄部の操作により付けまつ毛を眼瞼の上を長さ方向で横方向に、かつ支持体から離れて転動するための長さ方向のロールオン構成（roll on configuration）で、反転された又は略平坦な付けまつ毛を転動可能に支持するように構成される。いくつかの実施形態では、アプリケータ付けまつ毛支持体は、付けまつ毛を実質的に反転形状（凹形状）で転動可能に支持するために形成された外側部を有し、付けまつ毛のベースの内側部は、アプリケータの外側部の外部上に又はそれを超えて実質的に凸形状に配設可能である。他の実施形態では、アプリケータ付けまつ毛支持体は、付けまつ毛を実質的に直線状又は平坦形状に転動可能に支持するために形成された外側部を有し、付けまつ毛のベースの内側部は、アプリケータの外側部の外部上に又はそれを超えて実質的に直線形状に配設可能である。更に他の実施形態では、アプリケータ付けまつ毛支持体は、目の曲率半径よりもはるかにはるかに大きい曲率半径を有する凸形状で付けまつ毛のベースの内側部を転動可能に支持するために形成された外側部を有する。
【０１３０】
一実施形態に係る図１７のアプリケータ２００を詳細に参照すると、概要として、アプリケータ２００は、限定するものではないが、例えば本明細書に記載した反転された付けまつ毛５０などの、反転された又は略平坦な付けまつ毛を支持するための支持部２０１を有する。アプリケータ２００はまた、支持部２０１を操作するための柄部２０５を有する。図１６〜図３２に示す実施形態では、支持部は、第１のクランプ部材２０２及び第２のクランプ部材２０３を有するクランプである。クランプ部材２０２、２０３は、連動可能に連結されており、開放構成（an open configuration）（図１６参照）と、実質的な閉鎖構成（a substantially closed configuration）（図２１参照）と、中立構成（a neutral configuration）（図２２参照）との間で調整可能に構成される。閉鎖構成では、クランプ部材２０２、２０３が、付けまつ毛ベース５１の外側部５４から離れて延在する複数本の付け睫毛５２をきつく把持することができるので、ベース５１は、図２７に最もよく示すように、クランピング部材２０２、２０３の外部で、それらと連続して保持される。中立構成では、詳細に後述するように、クランプ部材２０２、２０３は、実質的な制限なく付けまつ毛をクランプから転げ落とすことができるように付けまつ毛５０を解放可能にしながら、複数本の付け睫毛５２をゆるく把持することができる。
【０１３１】
図１６は、一実施形態に係る開放位置におけるアプリケータ２００の斜視図である。この位置により、反転された付けまつ毛５０をアプリケータ２００内に装填することができる。図１７は、一実施形態に係る閉鎖位置におけるまつ毛アプリケータ２００の上平面図である。実質的な閉鎖構成及び中立構成の両方では、クランプ部材２０２、２０３はともに長さ方向の実質的に凸形状のアプリケータの外側部２０４を形成する。クランプ部材（Camp members）２０２、２０３は、それぞれ補完的な長さ方向に凸形状の外面２０６及び２０７を有する平面が略矩形状(generally rectangular)のシェルである（図１６参照）。関連するクランプ部材の側部２０６、２０７の各対は、閉鎖構成又は中立構成におけるアプリケータの外側部２０４を形成する。クランピング部材の外側部２０６、２０７の長さ方向曲率半径（lengthwise curvature）と反転された付けまつ毛の長さ方向曲率半径は、同様である。こうすると、例えば図２５〜図２７に示すように、反転されたまつ毛バンドがアプリケータ面２０４の外部に又はそれを超えて位置し、アプリケータ側部２０４に沿って長さ方向に屈曲する位置にあるアプリケータ内に、反転された付けまつ毛を配設することができる。他の実施形態では、クランピング部材は、他の形状とすることができ、かつ／又は部材２０２、２０３より多い又は少ない凸状の側部２０６、２０７を有することができ、これらは、付けまつ毛５０を把持するとともに、それと入れ子状とするという同じ目的を果たす。例えば、一実施形態では、クランプ部材２０２、２０３は、それぞれ単一の凸形状に屈曲した外側部２０４をともに形成する単一の凸形状の外側部２０６、２０７を有する。
【０１３２】
図１６に示すように、クランプ部材２０２、２０３は、その内部面を互いに対向して配設され、対向する内部面間で、クランプ部材の共通の周縁に近接して置かれたヒンジ２１３によって枢動可能に（pivotally）相互に連結される。ヒンジ２１３は伸張可能なヒンジである。他の実施形態では、ヒンジ２１３は伸長できない。
【０１３３】
図１８〜図２０は、集合的に（collectively、共同で）アプリケータ２００の分解図を表す。図１８は、図１６のアプリケータの開口部に使用されるための、一実施形態に係る親指で動作されるラッチ２１０の部分の分離された側面図である。図１９は、アプリケータ２００の上半部の、分離された側面図である。図２０は、アプリケータ２００の下半部の分離された側面図である。ヒンジの反対前端部は、ドッキングシステムの片側雌（a female half）２５０を含むことができる。ドックは、２つの部品をより簡単に嵌合するために、インデント、バンプ、磁石又はアプリケータを反転器１００に整合させる任意の方法としてもよいし、装置は全くドッキングシステムを持たなくてもよい。
【０１３４】
図６３及び図６４は、一実施形態に係るかかるドッキング（docketing）システムを用いた反転−装填装置（an inveter-loader device）５１００及びアプリケータ５２００の斜視図を示す。アプリケータ５２００は、アプリケータ２００と同様である。反転装置５１００は、反転装置１００と同様であるが、ドッキングシステムの片側雄５１５０を有する。片側雄５１５０は、可撓バンドを支持する柄端部に位置し、アプリケータの片側雌５２５０に差し込む、又はそれとドッキングするように構成される。これらのドッキング（docketing）ガイドは、反転された付けまつ毛をアプリケータに正しく装填及び位置付けるのを助けるために、アプリケータを反転−装填装置と整合するのを助ける。片側雄５１５０及び片側雌５２５０の両方は、略矩形(generally rectangular)断面を有する。片側雄５１５０は常習的（inveterate）装置の底部ハウジングから延在する。片側雄及び片側雌５１５０及び５２５０は、ドッキング（docketing）及び位置合わせを達成する他の形状とすることができる。一実施形態では、ドッキングシステムの片側雄及び片側雌は磁性とすることができる。
【０１３５】
図２１は、一実施例に係るクランプ（claim）部材２０２、２０３が把持位置にある閉鎖構成におけるアプリケータ２００の側面図である。
【０１３６】
図２２は、一実施例に係る中立位置におけるアプリケータ２００の側面図である。図２３は、中立解放モードにおけるアプリケータ２００の図２２の詳細側面図である。中立位置では、両半片又はクランプ部材２０２、２０３は平行にわずかに開いて、アプリケータ２００は付けまつ毛５０を決まった場所に優しく保持することができ、付けまつ毛（ｆａｌｓｅ  ｅｙｌｅｌａｓｈ）５０を付けたとき、眼瞼の上で解放できる。眼瞼及び／又は付けまつ毛に予め付けられたグルー又は他の接着媒体により、付けまつ毛は眼瞼の上に保持される。
【０１３７】
一実施形態では、アプリケータは、スペーサ機構を有し、それは、第１及び第２のクランプ部材２０２、２０３を実質的な閉鎖構成から中立構成に所定距離２１１だけ離間し、それらの間に間隙２１２を形成するように動作可能である（図２３）。一実施例において、スペーサ機構は、伸張可能なヒンジ２１３及びラッチ機構２１０、２１８を備え、それらは、第１の及び第２の部材２０２、２０３を互いに直線的に離間して、間隙２１２を形成するように動作可能である。ヒンジ２１３の例示的な実施形態をより詳細に参照すると、図２４Ａは、図１９及び図２０に示すヒンジの部分斜視図であり、楕円形軸穴２１４及び円形軸穴２１５を示す。楕円形穴２１４は、上部クランピング部材２０３の中間ヒンジ部２１６を貫いて横方向に延在する。円形軸受け穴２１５は、底部クランピング部材２０２のヒンジ部２１７内に横方向に延在する。中間ヒンジ部２１６は、底部クランピング部材２０２のヒンジ部２１７の中に形成された対応する間隙に受け入れられる。楕円形穴２１４及び円形穴２１７は整合してヒンジ軸を受け入れる。楕円形ヒンジ軸穴により、上部部材ヒンジ部２１６は、軸上を底部クランプに向かって、かつそれから離れて垂直にスライドすることができる。ラッチとともに楕円形ヒンジ穴２１４により、上部クランプ部材２０３（アプリケータの上半部）は、底部クランプ２０２と平行のまま、垂直に上昇及び下降することができ、それによって、クランプは、ともに把持し、その後解放することができる。張力は上向きであるので、上部クランプと底部クランプは平行になる。
【０１３８】
他の実施形態では、楕円形ヒンジ軸穴は、完全に閉鎖された穴である必要はなく、例えば、底部クランプヒンジ部内で既に実施された軸にパチンと嵌まる１つ又は複数の細長いＣ字状のヒンジ部により形成される。図２４Ｃは、一実施形態に係る、上部クランピング部材にＣ字状部を有するかかる例示的なヒンジを示す。
【０１３９】
他の実施形態では、スペーサ機構は、上述したものと異なっていてもよい。例えば、図２４Ｂは、別の実施形態に係るアプリケータ２００と同様だが、スペーサ機構２２４を有するアプリケータの部分側面図を示す。スペーサ機構２３０は、上部クランプ部材２０３の下面に取り付けられた一方の端部２２０及び底部クランプ部材２０２の下面に取り付けられた他方の端部２２０を有するばね２１９を含む。ばね２１９は、クランプ部材を一緒に閉鎖構成に手動で圧迫（squeezing、スクイーズ、ギュッとつまむ、圧搾する、圧力をかける、握る、絞る）すると、ばねは圧縮されるのに対して、これらの部材を閉鎖構成から手動で解放すると、ばねはクランプ部材を離れて中立構成になるように強く促されるように選択される寸法及びコイル構成を有する。
【０１４０】
スペーサ機構２２４は、クランプ部材を中立構成で平行に配向させるように構成される。スペーサ機構２２４は、上部クランプ部材２０３の下面から下方にかつ、実質的に垂直に延在するピン又は軸受けスロット２２２を有する。ピン又は軸２２３は、底部クランプ部材２０２の下面に横配向に固定される。ピン又は軸２２３は、スロット２２２内をスライド可能に保持され、ピン又は軸２２３の長手方向軸は、スロット２２２に対して横方向に延在する。ピン／軸２２３及びスロット２２２は、部材の長手方向面に対して実質的に垂直な面において互いに対してスライド可能である。
【０１４１】
ラッチ機構２２５は、アーム２２６及び２２７を有する、解放可能に係止可能な一対のラッチを備え、一方のアーム２２６は、２０３の下面から下方に延在し、他方は部材２０２から上方に延在する。アーム２２６及び２２７は、ラッチが互いに解放可能に係止可能であるよう互いに協働するように形成されたアームの遠位端部（distal ends）に、ラッチング突出部２２８及び２２７を含む。係止された構成では、ラッチにより、部材２０３、２０４は、中立構成と閉鎖構成との間を直線的に上下にスライドすることができるが、部材が中立構成より更に離れて開口するのが防止されるのに対して、係止されない構成では、ラッチにより、部材が、離れて揺れ動き、開放構成になることができる。
【０１４２】
ばねが閉鎖構成から中立構成にクランプ部材２０２、２０３を別々に押す場合、クランプ間の相対移動は、垂直面における直線移動に対してピン／軸、及びスロット並びにラッチによって制約され、それによって第１の及び第２の部材は離間されて、中立構成で平行に係止される。これらの部材は、スロット２２３の端部に当接するピン若しくは軸及び／又はラッチ部材によって中立構成で停止する。スロット２２２及びピン／軸２２３は、例えば、以上で説明したように、伸張可能なヒンジにより設けられてもよいし、任意のヒンジと別個の機構としてもよい。図２４Ｂに示すように、ばね２１９は、ラッチ機構とスロットとの間に配置される。しかしながら、例えばラッチ機構がばねとスロットとの間に配置される他の構成が想定される。いくつかの実施形態では、ラッチ機構を省略することができる。別の実施例では、ばねが省略される。更に他の実施形態では、詳細に後述するように、例えばクランピング部材に一体化されたシムクランプ装置によって設けられるように他のタイプのスペーサ機構が使用され得る。
【０１４３】
他の実施形態では、前述のヒンジ部、ラッチ機構、及び／又はスペーサは、同様の成果を達成するため、クランピング部材上に入れ替えることができる。
【０１４４】
他の実施形態では、１つ又は両方のクランプ部材は、クランピング部材に把持されている反転された付けまつ毛の反転されたまつ毛バンドと入れ子状にするために、長さにわたって凸状に屈曲したクランピング部材の外側部２０６、２０７を付与する他の形状とすることができる。いくつかの実施形態では、底部クランプは、上部クランプより厚く、人間の自まつ毛をじゃまにならない所に押すのを助けるので、グルー又は他の接着剤が、偶然に自まつ毛に触れない。しかしながら、他の実施形態では、どちらか一方のクランピング部材は、アプリケータとして機能する任意の厚さとすることができる。更に、上部クランプ及び底部クランプの両方は、機能する必要なアプリケータを提供する合致する又は異なる形状とすることができる。
【０１４５】
ここで、一実施形態に係る付けまつ毛アプリケータ２００の動作方法を説明する。最初は、アプリケータ２００は、図１６に示すように開放構成である。反転された付けまつ毛５０がアプリケータ２００内に反転された構成で装填される（例えば図２５参照）。クランプ部材２０２、２０３は、移動して閉鎖構成になり、装填され反転された付けまつ毛の複数本の付け睫毛５２を把持する（例えば図２７参照）。まつ毛ベース５１は一緒に閉鎖しているクランプ部材２０２、２０３によって形成された外側部２０４の外部表面と入れ子状のクランプの外部に配置されたままである。付けまつ毛ベースの内側部５３は、クランプから離れて対向し、実質的に凸形状を有する。接着剤２０は、（予め塗布されていない場合）内側部５３に塗布される。アプリケータラッチ２１０の操作により、クランプ部材は中立構成となる。ここで、反転された付けまつ毛５０は、図２７〜図３０に示すように、アプリケータの柄を手動で操作することにより、まつ毛ベース５０が眼瞼５００の皮膚の上で、それにわたって横方向に、かつクランプから離れて長さ方向に転動可能な、長さ方向のロールオン構成である。図２７は、アプリケータ２００における、眼瞼５００に付けられる準備ができた付けまつ毛５０の上面図である。図２８は、付けまつ毛５０バンド５１の先端部を眼瞼５００に付けるアプリケータ２００を示す。図２９は、アプリケータが付けまつ毛５０を眼瞼５００の上で、かつクランプから離れて転動するときの付けまつ毛のアプリケーションプロセスを継続するアプリケータ２００を示す。図３０は、完了した付けまつ毛のアプリケーションを示す。
【０１４６】
アプリケータ２００の他の実施形態では、第１及び第２のクランプ部材２０２、２０３は、クランピング部材２０２、２０３の外側に実質的に凸状以外の形状で保持されているまつ毛ベース５１の内側部５３を支持するように形成され、配設される。まつ毛ベース５１は、アプリケータ２００が中立構成である場合、支持された反転された付けまつ毛５０が眼瞼５００の皮膚上で、それにわたって横方向に、かつクランプから離れて長さ方向に転動可能にすることができる任意の構成で支持されてもよい。例として、一実施形態では、第１及び第２のクランプ部材２０２、２０３は、長さ方向に実質的に直線状であり、まつ毛バンド５１をクランピング部材２０２、２０３の外側に実質的に平坦な構成に配置して、付けまつ毛を実質的に直線状に保持するように配設される外側部２０４を有する。
【０１４７】
更に、他の実施形態では、アプリケータ２００は、クランプではなく、単一の支持部材を備える。支持部材は実質的に凸状の外側部を有し、アプリケータ２００の外側部２０４と同様に、入れ子状に反転された付けまつ毛５０を支持する。反転された付けまつ毛は、好適な接着剤を用いて、ベースの内側部５３が支持体(support)の外側部と反対に対向して、解放可能に支持部材の外側部に凹形状に装着され得る。接着剤は、まつ毛５０の長さを依然として容易に、眼瞼５００の皮膚の上で、それにわたって横方向に、かつ支持部材から離れて転動できるように選定され、塗布される。
【０１４８】
いくつかの実施形態では、反転器１００は、反転器と、第２の構成で可撓バンドに保持されたまつ毛５０をアプリケータ２００内に装填するための装填器との両方としての二重機能を有する。普通の付けまつ毛５０は、例えば図３及び図５に示すように、接着媒体２０を用いて、解放可能に第１の構成における可撓バンドに取り付けられる。その後、可撓バンドは反転−装填器１００の受け部材スロット１０１内に挿入される。その後、付けまつ毛５０は、図１４に示すように、反転−装填器１００で反転される。グルー又は他の接着媒体が、内側部５３付けまつ毛に塗布され、あるいは予め塗布されたグルーが存在しない場合は、後で塗布されてもよい。そのとき、反転された付けまつ毛５０は、反転−装填装置１００及びアプリケータ２００を操作することによってアプリケータ２００内に装填するための準備ができている。
【０１４９】
一実施形態では、アプリケータ２００は、反転装置１００に第２の構成における可撓バンドによって保持されている付けまつ毛５０を把持するのに使用され得る。２つの片側クランプシェル又は部材２０２、２０３は、まつ毛（eyelashes）５２の周りにきつく閉じられている。いったん複数本の付け睫毛５２をクランプされると、アプリケータ２００を柄によって操作して、付けまつ毛５０を可撓バンドから引き離すことができる。
【０１５０】
図２５〜図２７は、反転−装填装置１００を用いて、可撓バンドに支持された、反転された付けまつ毛５０をアプリケータ２００内に装填するプロセスを詳細に示す。図２５は、開放アプリケータ２００内に部分的に挿入されている、反転−装填器の受け端部に依然として装填された、反転された付けまつ毛５０の上面図である。反転された付けまつ毛は、反転装置を手動で操作することによって、まつ毛バンド５１が底部クランプの屈曲した外側部２０６の外部と長さ方向に整合し、また複数本の睫毛（lashes）がクランピング部材２０２、２０３間のアプリケータ内に延在するように配向される。アプリケータ２２０は、反転された付けまつ毛５０を閉じている。図２６は、閉鎖したまつ毛アプリケータ２００によって反転され、保持された付けまつ毛５０の詳細な上面図である。アプリケータクランプの外側部２０４は、反転−装填器１００によって第２の構成に保持された可撓バンド１４の実質的に凹形状の外側部１５を一般的に(generally)補完する（complimenting）実質的に凸形状を有する。これにより、可撓バンド１４上の付けまつ毛５０がアプリケータ２００に装填されると、可撓バンド１４及びアプリケータの外側部２０４は、その間に挟まれた反転された付けまつ毛バンド５０と概ね(generally)入れ子状になる（図２６参照）。複数本の付け睫毛５２は、アプリケータクランプによって把持される。複数本の睫毛は、付けまつ毛を第２の構成（反転された）で維持しながら、反転された付けまつ毛５０を可撓バンドから引き離し、それによって反転装置から除去することができるようにきつく把持されている（図２６及び図２７参照）。
【０１５１】
一実施形態では、可撓バンドの遠位両端部１３は、反転された付けまつ毛５０をアプリケータの外側部２０４に整合する（align、整列する）とともに、そこからオフセットし、また反転された付けまつ毛５０があまりにまつ毛バンド５１に近接して把持されないように、可撓バンドの上部から底部に延在する２つの筒状スペーサ、又は他のタイプのスペーサの形態である（図２６参照）。一実施形態では、スペーサが、整合されたバンド５１をアプリケータの外側部縁部から約０．２５〜５ｍｍ離すように構成される。他の実施形態では、本明細書に記載する同様のアプリケータの機能を達成する、整合されたバンド５１とアプリケータの外側部縁部との間における他のスペーシングを採用してもよい。まつ毛バンド５１がアプリケータの外側部縁部と近接しすぎて、又はそれと同一平面にある場合、まつ毛グルーがまつ毛バンド５１とアプリケータの縁部の両方に付着することがあり、それによって効果的に付けまつ毛５０がアプリケータ２００にグルーで貼り付けられる。加えて、付けまつ毛バンド５１を外側部２０４からオフセットすることにより、ユーザには付けまつ毛の縁部がはっきり見えて、それによってそれが眼瞼５００のどこに行くかが見える。
【０１５２】
アプリケータ２００は、付けまつ毛を把持するために指で圧迫されるが、別の実施形態では、これを行う機械的な方法が使用され得る。
【０１５３】
反転された付けまつ毛５０を可撓バンド１０から取り除いた後、図２７に示すように、反転された付けまつ毛は、（グルーストリップが工場などで予め塗布されていない場合）グルー２０又は他の接着剤を付ける準備ができる。その後、反転されたまつ毛は、眼瞼に付ける準備ができる。その後、アプリケータ２００は、デフォルトで中立位置になることができ、引き続き付けまつ毛５０を決まった場所に優しく保持する（まつ毛を有しない中立位置を図２２に示す）。いったん、グルー付きの（ｇｌｕｅｄ）まつ毛が眼瞼５００に接着されると、アプリケータ２００を眼瞼５００上で、それにわたって横方向に目の一方の隅から他方の隅にうまく動かす（ｍａｎｅｕｖｅｒｉｎｇ）ことにより、まつ毛５０が長さ方向に転動されるので、付けまつ毛５０はアプリケータ２００から流れ出て、眼瞼５００にグルーで保持される。
【０１５４】
システムの動作方法の別の実施形態では、付けまつ毛５０は、工場で予め装填される。
【０１５５】
別の実施例では、アプリケータ２００は、エンドユーザが所望するときに使用するために、反転されたまつ毛５０が予め装填された携帯用又は使い捨てアプリケータとすることができる。
【０１５６】
システムの動作方法の更に他の実施形態では、携帯用ホルダー３００が、まつ毛５０が可撓バンドに反転されて保持されたまつ毛ホルダー１０を把持するのに利用される。その後、携帯用ホルダー３００が、図３１及び図３２に示すように反転されたまつ毛５０をアプリケータ２００に装填するように操作される。更に別の実施形態において、可撓バンド上に反転されたまつ毛５０を含むまつ毛ホルダー１０が、アプリケータ２００内に装填する準備ができた携帯用ホルダー３００に予め装着される。
【０１５７】
また更なる実施形態では、まつ毛ホルダー１０と同様だが、反転された付けまつ毛をアプリケータ内に装填するように可撓バンドを操作するための柄部を含むまつ毛ホルダーが設けられる。こうすると、まつ毛ホルダー１０を把持し操るのに、分離した反転装置１００又は携帯用ホルダー３００を使用する必要性がなくなる。一実施形態では、柄部を含むまつ毛ホルダー１０は、使い捨てであり、可撓バンド上に予め反転されたまつ毛５０を備えている。これにより、エンドユーザは、反転器装填器１００又は携帯用ホルダー３００を用いて、まず可撓バンドを反転させる、又はそれを操作する必要はなく、単に可撓バンド上の反転された付けまつ毛５０をアプリケータ２００に装填するだけにすることができる。
【０１５８】
ここで、反転装置の更なる実施形態について説明する。いくつかの実施形態では、まつ毛ホルダー反転装置が、まつ毛ホルダーを反転された又は略平坦な構成から第１の構成に変更するように構成される。例として、図３３は、別の実施形態に係るまつ毛ホルダー反転装置の斜視図である。図３３の実施形態の反転装置１５００は、普通の三日月形状の付けまつ毛を、デフォルトで反転された又は略平坦な構成を有するまつ毛ホルダーに付けるのに有用である。可撓バンドのプラスチック又は他の材料がこのデフォルト位置で成型される。反転装置１５００は、ストッパフレーム１５０７を追加した、図７及び図８を参照して上述した反転装置１００を備える。
【０１５９】
反転装置１００をより詳細に参照すると、柄ハウジング１０７は、平面スライダ受け部材１０５を囲む両半片を備える（図３４の分解図参照）。既に前述したとおり、他の実施形態では、柄ハウジング１０７、受け部材１０５及び空洞１０９は、受け部材及び反転機構に所望の機能を実行させることができる他の形状及び構成とすることができる。親指ボタン１０８は、ボタンが受け部材１０５とともに装置の長手方向軸に沿って前後に移動できるよう配設されるハウジング長手方向の開口部１１１を介して、受け部材１０５に取り付けられる。受け部材は、柄ハウジングを片手で保持し、親指を親指ボタンに置いて、受け部材を前後に動かすユーザによって、後退位置と伸張位置との間を片手でスライド可能に作動可能である。
【０１６０】
ばね１３０は、ハウジング後端部と受け部材１０５の後端部との間でハウジング１０７の内部に長手方向に配置される。ばね１３０は、受け部材を伸張位置に移動すると、受け部材１０５をバイアスし、また、親指ボタンを解放すると、受け部材１０５を後退位置に引き戻すように構成される。ストッパ１２０は、受け部材１０５を一体化した端部と反対のスライド部材遠位端部１２６に配設される。ストッパ１２０は、スライダの長手方向面に対してほぼ(generally)垂直に延在するように配設及び形成された突出部であり、スライダを過度に後退又は伸張させないように、このストッパが内部ハウジングに当接する。
【０１６１】
フレーム１５０７は、ハウジングの反対側外部長手方向側部に沿って、かつ柄ハウジングの空洞端部から出て延在する一対のアームを備える。ハウジング空洞端部から外側に延在するフレームアームは、空洞端部１０９から離れた遠位両端部（distal ends）１５２０を有する（図３４参照）。フレームアームの遠位両端部１５２０は、可撓バンド１４が受け部材が後退した反転装置に装填されるとき、可撓バンドの両端部１３を、柄ハウジング１０７に対して定位置に保持するように構成される。図３３の実施形態では、フレームの遠位両端部１５２０は、一般的に(generally)Ｌ字状で、ハウジングの長手方向面において互いに向かって内側に曲がっているので、フレームアーム１５０７はまつ毛ホルダーの遠位両端部を定位置に保持する。しかし、他の実施形態では、フレームの両端部１５２０は、環状形状若しくは他の角張った形状又は可撓バンドの両端部１３を保持する他の形状などの他の形状とすることができる。更に、フレームアーム以外の他のタイプの保持手段が、可撓バンドの両端部を保持するという同じ機能を付与するのに使用され得る。本明細書に記載した反転装置及び／又はまつ毛ホルダーの他の実施形態を採用することができ、それにより、まつ毛ホルダーの可撓バンド又は他の支持部材の形状を、付けまつ毛のアプリケーション、またそれに続く反転のために変更することができる。
【０１６２】
図３６〜図４０は、付けまつ毛を、自然に反転された又は略平坦な構成を想定する可撓バンドに付与するための反転装置１５００の動作方法を示す。図３６に示すように、まつ毛ホルダー反転装置１５００は、最初、未装填の、かつ後退した構成であり、その構成では、受け部材１０５は完全に空洞１０９内に後退され、それによって、受け部材の位置決め穴１０１に外部からアクセス可能にしている。空の付けまつ毛ホルダー１５１０は、可撓バンド１５１４が反転された又は略平坦なデフォルト構成を有することは例外として、まつ毛ホルダー１０と同様である。可撓バンド位置合わせポストヘッド１２の底端部を受け部材位置決め穴に挿入することによって、可撓バンド１５１４は、後退した受け部材１０５内に装填される。可撓バンドの両端部（opposite ends、反対端部、反対両端部）１３はフレームアーム１５０７によって保持される（図３７参照）。そのように装填されると、両端部１３はフレームアーム１５０７によって、柄ハウジング端部に、又はそれに隣接して定位置に保持されるのに対し、残りの可撓バンドは自由に曲がる。親指ボタンを前方にスライドさせることによって反転装置１５００を作動させると、受け部材１０５は柄空洞１０９から出て伸張位置にスライドされる。部材１０５が伸張するにつれて、受け部材１０５は可撓バンド１５１４の中央部を押して、それによって可撓バンドは反転された第２の構成から、可撓バンドが実質的に凸形状である第１の構成に曲げられる（図３８と併せて図３７参照）。凸形状（普通の三日月形状）における可撓バンド１５１４を用いると、その後、普通の三日月状の付けまつ毛５０は可撓バンドの外側部に付けられる。付けまつ毛５０は、例えば接着媒体を用いて付けまつ毛バンドの内側部を可撓バンドの外側部に接着するなどの、他の実施形態を参照して本明細書に上述した方法で付けられる（図３９参照）。
【０１６３】
可撓バンド１５１４が凸形状の場合、普通の三日月状の付けまつ毛５０を付けることが、製造する工場において有利なのは、装置の運用者がより容易に普通の形状における普通に見える付けまつ毛５０を可撓バンド１５１４に付けることができ、まつ毛ホルダーに付けられた付けまつ毛が消費者にとってすぐに付けたがるものかどうかを判定することができるからである。いったん付けまつ毛５０がそのように付けられると、受け部材１０５は、後退して、可撓バンドを柄１０７に向かって引っ張り、可撓バンド１５１４は略平坦又は反転された構成（第２の構成）に戻り、それによって、図４０に示すように、そこに付けられた付けまつ毛５０が反転される。その後、付けまつ毛５０をその上に運ぶ反転された可撓バンド１５１４は、反転装置１５００から取り除かれ、使用のため又はエンドユーザへの販売のため、準備される。可撓バンド１５１４は自然にデフォルトで略平坦又は反転された構成になるので、可撓バンド１５１４、及びその上で運ばれる付けまつ毛５０は、反転装置から取り除かれた後、略平坦又は反転された構成のままである。図４２は、一実施形態に係る反転された可撓バンド１５１４と、その上で運ばれる反転された付けまつ毛５０の上部平面図である。図４２のアセンブリは、ボックス６１又は他のユニットに保管するため、トレイホルダー６０内に装填され得る（図４３参照）。
【０１６４】
いくつかの他の実施形態では、フレームアーム１５０４が省略され、その代わりに、反転装置１００を動作する人が、その指を用いて、かつ／又は反転装置が作動されると、外部ツール（例えばペンチ）を動作して、まつ毛ホルダーの可撓バンドの両端部は定位置に保持される。
【０１６５】
本明細書に記載したアプリケータの実施形態を参照して明らかにしたように、可撓バンド１５１４はデフォルトで第２の構成になり、派手なまつ毛５０は既に第２の構成で可撓バンド１５１４上に予め組み立てられていたので、アプリケータ２００を用いて付けまつ毛を付けるのを希望する消費者又は他のユーザは、可撓バンド１５１４を反転するのに、又はそれを反転された位置に維持するのに反転装置を用いる必要はなく、単に、可撓バンドに保持された、予め反転された付けまつ毛を、アプリケータ２００内に装填することができる。いくつかの実施形態では、反転されたまつ毛５０は、任意の装填装置の助けがなくても、可撓バンド１５１４を直接手で操作することによって、装填され得る。
【０１６６】
反転装置１００の前述した実施形態と同じように、反転装置１５００の動作は、手で動作する代わりに、一部又は全部自動にしてもよい。また、代替的な装置構成を、装置１５００と同じ一般的な機能を付与するのに採用してもよい。反転装置の構成及び動作方法は、まつ毛ホルダーのデフォルト構成のタイプに依存する場合がある。例えば、デフォルトで第２の構成（反転された形状）を有する可撓バンドの形状の調整を参照して反転装置実施形態１５００を説明してきたが、反転装置１５００は、その代わりに又はそれに加えて、デフォルトで第１の構成を有する可撓バンドと組み合わせて使用され得る。この場合、反転装置は最初、伸張位置で装填されることになり（伸張位置の一例として図３９参照）、反転は、受け部材１０５を伸張位置から後退位置に後退させることによって引き起こされることになる。
【０１６７】
いくつかの実施形態では、反転装置は、可撓バンドの両端部を定位置に保持し、可撓バンド中央部を押す又は引っ張ることによって可撓バンドが第１の構成と第２の構成との間、又は他の所望な形状間で調整可能なように構成される。
【０１６８】
いくつかの他の実施形態では、反転装置は、所望の変化を達成するため、可撓バンドの中央部を定位置に保持しながら可撓バンドの両端部を押す、又は引っ張ることによって、可撓バンドが第１の構成と第２の構成の間又は他の所望な形状間で調整可能なように構成される。例として、反転装置の別の実施形態では、反転装置が動作すると、可撓バンドの形状を略平坦反転されたものから凸状に変化させるように、受け部材が可撓バンドの中央部を定位置に保持しながら、可撓バンドの両端部は柄ケーシングに向かって引っ張られる。図４１は、かかる反転装置１６００の平面図を示す。この装置では、可撓バンド１５１４は、柄端部を超えて定位置に保持される反転器の受け部材に装填される。フレームアーム１５０７は、柄の長手方向面にスライド可能に装着され、可撓バンドの両端部１３をハウジングに向かって引っ張るため、アームを後方にスライドすることによって、後退可能である。可撓バンドの中央部が柄ハウジング上に定位置のままであるとき、両端部１３を引っ張ると、可撓バンド１５１４は略平坦又は反転された（第２の構成）から凸形状（第１の構成）に曲げられる。いくつかの他の実施形態では、フレームアーム１５０７は省略され、その代わりに、まつ毛ホルダーの両端部を移動させるため、反転装置を動作する人がその指を用いて、かつ／又は外部ツール（例えばペンチ）を動作して、可撓バンドの両端部１３を移動する。
【０１６９】
詳細に後述するように、いくつかの実施形態では、本技術のアプリケータ態様は、図１６〜図３１を参照して説明したものに対して他の設計を有することができるが、依然として反転された付けまつ毛５０を受け入れ、アプリケータの操作により、付けまつ毛を、眼瞼の上に長さ方向で横方向に、かつ支持体から離れて転動するための長さ方向のロールオン構成で、反転された付けまつ毛を転動可能に支持するという一般的なアプリケータの機能を達成することができる。一対のクランピング部材は、それらを一緒に保持するのを助ける様々な方法を用いることができる。特定の例示的な実施形態を参照して詳細に後述するように、リビングヒンジを含む任意のタイプのヒンジが、それらを一緒に保持するのに使用され得る。その代わりに、又はそれに加えて、１つ又は複数のポスト及びポスト受け穴がクランピング部材を一緒に保持するのに使用され得る。いくつかの実施形態では、１つ又は複数の離間されたピン又はポストが、クランプ部材を、ヒンジを用いて、又はヒンジを用いずに自己整合するのに使用される。更に他の実施形態では、部材の側壁においてクリップが使用され得る。クリップは任意の形状、すなわち、正方形、矩形、三角形などとしてもよいし、また指の把持部を有してもよい。クリップは、クランピング部材を一緒にクリップするのにクリップ材料のねじれに依存する場合がある。その代わりに、又はそれに加えて、クリップは、クランプ部材を一緒にクリップするためにばね機構又はいくつかの他のクリッピング機構を含むことができる。例えば、ズボン及び他の衣服ハンガーに用いられるクリップ機構が使用され得る。更に他の実施形態では、クランプ部材がヒンジレスであり、部材の操作は、全部手によるものである。いくつかの実施形態では、シムクランプなどのボタンクランプが、一対のクランピング部材を一緒に圧迫するのに前方に押す、かつ解放するために引き戻すため、アプリケータ上に採用される。更に他の実施形態では、アプリケータは、一対のクランピング部材ではなく、単一の一体構造である。
【０１７０】
ここで、アプリケータの別の実施形態のうち一部をより詳細に参照する。一実施形態では、アプリケータはヒンジレスであり、クランピング部材は、クリップによって閉鎖構成に保持可能である。図４４〜図４７は、一実施形態に係るかかるヒンジレスアプリケータを示す。アプリケータ３０００は、底部クランピング部材３２０２及び上部クランピング部材３２０３を有する。各クランピング部材３２０２、３２０３は、付けまつ毛５０を反転された又は略平坦な構成で支持するため、その長さに沿って実質的に凸状に屈曲した外部支持体側部３２０４を有する。図４４に示すように、付けまつ毛５０が凹形状（反転された又は略平坦な構成）にあるとき、複数本の睫毛５４は凹状にカールする。底部クランピング部材３２０２は、前部まつ毛受け溝又はチャネル３３０２及び後部柄部３２０５を備える上面３３３１を有する。まつ毛受け溝（lash receiving groove）３３０２は、凸状の外側部３２０４に沿って屈曲し、凹状の断面を有する。反転された付けまつ毛５０がクランピング部材３２０２に装填されると、個々の睫毛５２はまつ毛受け溝３３０２に受け入れられ、そして、まつ毛バンド５１上の複数本の睫毛５２の形状及び構成は、装填されていない反転されたまつ毛に対するのと実質的に同じように維持される。クランピング部材３２０３は、前部まつ毛受け溝に対応する断面及び形状を含むまつ毛受け部３３０４を有するので、上部クランピング部材３２０３が底部クランピング部材３２０２の上で整合し、クランプが閉鎖構成で部材の一方を他方の上に位置合わせして保持されるとき、クランピング部材３２０２、３２０３がともに、まつ毛受け溝３３０２に入れ子状にされたまつ毛受け部３３０４と入れ子状になる。一対の離間する位置合わせ穴３２２２は、上部クランプ柄部３２０６に配設される。底部クランプ柄部３２０５の上部側から上方に延在する一対の対応する位置合わせポスト３２２３は、対応する位置合わせ穴３２２２とスライド可能に係止するとともに、クランピング部材３２０２、３２０３を、それらがともに押し付けられるよう整合させるように構成される。クランピング部材３２０２、３２０３は、クランピング部材の長手方向面に垂直な面にスライド可能であり、クランプが別々に、かつ一緒にスライドするとき、位置合わせされたままである。
【０１７１】
位置合わせポスト３２２３及び穴３２２２は、円形断面を有するが、他の実施形態では、正方形、矩形などの他の断面であってもよい。いくつかの実施形態では、２つより多い位置合わせポスト及びそれに対応する穴が設けられてもよい。他の実施形態では、クランピング部材上の位置合わせポスト及びそれに対応する穴の位置は、異なってもよく、そして、クランピング部材を、それらがともに押し付けられるように整合させる機能を実施する位置合わせポスト及び穴の任意の構成／位置が想定される。例として、一実施形態では、一つの位置合わせ穴及びそれに対応するポストの構成は、位置合わせ穴が底部クランプ上に形成されるとともに、ポストが上部クランプに形成されるようにクランピング部材上で逆にされる場合がある。いくつかの実施形態では、卵形、正方形、矩形又は部材の位置合わせを維持する他の断面を有する、単一の位置合わせポスト及びそれに対応する穴が、使用され得る。
【０１７２】
図４５に示すように、アプリケータ３０００は、クランピング部材３２０３、３２０２を閉鎖構成で解放可能に保持するように構成されるクリップ３４００を有する。クリップ３４００は、クランプをともに把持し、かつ押し付けるように構成された一対のほぼ(generally)平面のタング（planar tongues）３４０１及び３４０２を有する。閉鎖構成におけるクランピング部材３２０３、３２０２が一対のタング３４０１、３４０２間に挿入されると、タングは強制的に離され、タングの湾曲にねじれが引き起こされ、クランプをともに把持し、押し付けることになる。タング３４０１、３４０２は、前部溝／部分３３０４、３２０４の断面に対応する凹状の断面を有する前部領域３４０４、３４０３を有する。この方法により、閉鎖されたクランピング部材３２０３、３２０２がともにクリップによって保持されるとき、タング前部領域３４０４、３４０３は、対応するクランピング部材溝／部分３３０４、３３０２と入れ子状になる。これにより、上部及び底部クランプ前部領域をともに押し付けるのに役立つ。
【０１７３】
いくつかの実施形態では、アプリケータ３０００は、使い捨てである。反転された付けまつ毛５０はアプリケータ内に装填され、クランピング部材は、保管されて出荷の準備ができた閉鎖構成にクリップされる。付けまつ毛５０は、本明細書に記載する装置によって反転された普通の付けまつ毛５０としてもよいし、手で容易に付けまつ毛を反転された位置に置くことができる方法で製造される付けまつ毛としてもよい。その後、接着媒体を、（装填する前に塗布されていない場合）装填されたまつ毛に塗布することができる。クリップを取り除くと、アプリケータは、眼瞼へのアプリケーションの準備ができた中立構成になることができる。
【０１７４】
図４５では、クリップタング３４０１、３４０２はほぼ(generally)細長い平面部材であるが、クランピング部材をともに押し付けることができる他の形状のタング又は部材が想定される。クリップは、鋼材又はプラスチックなどの任意の好適なクリップ材料から作製される。いくつかの実施形態では、タングの屈曲した前部領域は省略される（例えば図４９のクリップ３４５０参照）。
【０１７５】
いくつかの他の実施形態では、上部及び底部クランプ溝並びに／又は曲面部が省略され、前部領域が平坦である。図４９は、前部領域を含むクランピング部材が平面状である、別の実施形態に係るアプリケータ３７００の長手方向の断面図である。図４９に示すように、クリップ３４５０が、クランプ部材をともに圧迫し、その後、必要に応じてそれらを解放するために設けられる。それに加えて、又はその代わりに、ヒンジを、位置合わせポスト及び穴と合わせて採用してもよい。図５０は、位置合わせポスト及び穴並びにリビングヒンジ（クランピング部材の両端部をともに接合する連続材料から形成されたヒンジ）を含むアプリケータ３８００の断面側面図を示す。図５１は、図５０のアプリケータと同様だが、位置合わせポスト及び穴を有しないアプリケータ３９００の例示的な実施形態の側面図である。図４８は、図５１のアプリケータと同様だが、上部クランピング部材上に指の把持部を有するアプリケータ３６００の例示的な実施形態の側面図である。図５２は、図５１のアプリケータと同様だが、クランピング部材上に凹状の受け溝／部分を含むアプリケータ３５００の例示的な実施形態の側面図である。
【０１７６】
図５３は、更に別の実施形態に係るアプリケータ３１００の斜視図を示す。アプリケータ３１００は、ヒンジレス構成であり、反転された又は略平坦な付けまつ毛を把持及び解放するための３つの外側部２０４を有する。位置合わせポスト３２２３及びそれに対応する穴３２２２がそれぞれ、アプリケータの動作中に手動でクランピング部材をともに位置合わせして保持するために、底部クランピング部材３１０４及び上部クランピング部材３１０３に設けられる。
【０１７７】
ここで、ヒンジレスアプリケータの動作に関する言及について、いくつかの実施形態に応じて説明する。最初に反転された又は略（near）平坦な付けまつ毛が図５３のアプリケータ３１００に、アプリケータ２００と同様の方法で装填されたと仮定する。反転された又は略平坦なまつ毛は、本明細書に記載する実施形態の反転装置を用いて提供されてもよいし、他の手段により提供されてもよい。グルー又は他の接着媒体が（装填前の又はいったん装填された）まつ毛バンドに塗布される。グルーストリップが工場によって予め塗布されてもよい。アプリケータ３１００の運用者は、クランピング部材をともに圧迫し、これらの部材を閉鎖構成にする。クランピング部材３１０４の位置合わせポスト３２２３は、クランピング部材３１０３の穴３２２２をスライド可能に係止して、クランピング部材がともに装填され反転された付けまつ毛を押し付け、まつ毛バンドを外側部３２０４の外部に向けて把持するように、クランピング部材を一方を他方の上に位置合わせして維持する（アプリケータ２００と同様の原理）。図５４Ａに示すように、その後、アプリケータ３１００は、デフォルトで中立位置になることができる。クランピング部材を閉鎖位置に維持するために、それらをともに押し付けている運用者は、クランピング部材が中立位置までわずかに開放され、付けまつ毛５０を決まった場所に優しく保持する程、十分に圧迫圧力を緩和することによってアプリケータを中立位置にする。アプリケータが中立位置にあるとき、位置合わせポストはスライド可能に穴と係止されたままなので、クランピング部材は、運用者が圧迫圧力を緩和したにもかかわらず、中立位置に整合されたままである。いったんグルー付きのまつ毛の先端部が眼瞼５００の隅に接着されると（図５４Ｂ参照）、まつ毛５０は、（依然として中立（neural）位置の）アプリケータ３１００を眼瞼５００の上で、それにわたって横方向に目の一方の隅から他方へうまく動かすことによって長さ方向に転動される（図５４Ｃ参照）。付けまつ毛５０は、アプリケータ３１００から流れ出て、グルーによって眼瞼５００に保持される。
【０１７８】
いくつかの実施形態では、本明細書に記載したアプリケータは、クリップ又はヒンジではなく、シムアクションクランプ（a shim action clamp）によって、ともに保持されてもよい。シムクランプは、クランプ間のスペースを調整するためのあるタイプのスペーサ機構として機能するバイアス装置（a biasing device、付勢装置）である。図５５〜図５９は、まとめて、一実施形態に係るクランピング部材４１０２、４１０３をともにバイアスするためのシムアクションクランプを含むアプリケータ４０００を示す。クランピング部材４１０２、４１０３の一般的な形状は、アプリケータ２００のクランピング部材の形状と同じである。しかし、クランピング部材４１０２、４１０３は、アプリケータ３０００の形状又は他の実施形態を参照して本明細書において想定される他の形状などの他の形状を有することができる。クランピング部材４１０２、４１０３は、反転された付けまつ毛５０を把持するための３つの外側部２０４を有するが、それより多い又はそれ少ない外側部２０４が存在してもよい。シムアクションクランプ４２００は、アプリケータに設けられる。シム４２０２は、運用者（operator、オペレータ、操作者）によって、上部クランプ部材４１０３及び底部クランピング部材４１０２をともに挟持する（sandwich、サンドイッチする）よう、長手方向にスライド可能に構成される。
【０１７９】
図５５は、シムクランプ４２００が中立／開放構成でアプリケータ４０００をバイアスしている位置まで、シム４２０２が長手方向後方にスライドされたアプリケータ４０００の斜視図を示す。図５７は、オフ中心軸に沿った、かつ図５５に示す切断面「Ｃ−Ｃ」に対して矢印の方向の断面図（断面「Ｃ−Ｃ」）である。図５８は、アプリケータの中央長手方向軸に沿った、かつ図５５に示す切断面「Ｄ−Ｄ」に対して矢印の方向の断面図（断面「Ｄ−Ｄ）である。図５９は、図５５に示す切断面「Ｅ−Ｅ」に対して矢印の方向にアプリケータにわたる断面図（断面「Ｅ−Ｅ」）である。
【０１８０】
図５７〜図５９と合わせて図５５に最もよく示すように、シムアクションクランプ４２００は、底部クランピング部材４１０２の上部側に組み込まれた、又はそれに固定された本体４２１０を有する。ヘッド４２０１は、本体４２１０の上部に固定され、又はそれに組み込まれている。シム４２０２は、ヘッド４２０１と上部クランピング部材４１０３との間に挟まれた、ほぼ(generally)細長い平面部材である。本体４２１０は、上方に延在し、上部クランピング部材４１０３に形成された開口部４２０５とシム４２０２に形成された細長い開口部４２０３の両方を貫通して、かつそれらを超えて突出する。ヘッド４２１０は、ほぼ(generally)平面の頂面及び傾斜した底面を含む、くさび状の断面を有する。ヘッド４２０１のより厚い端部は、アプリケータの前部に向かって配向され、より薄い端部は、後部に配向される。傾斜したヘッド底面は、上部クランピング部材４１０３の上面の上で本体４２１０によって離間している。ヘッド４２０１の直径は、本体４２１０の直径より大きい。したがって、ヘッド４２０１の外側環状部は、上部クランピング部材４１０３の上面と重なりあう。このヘッドの外側部は、本体４２１０及び上部クランピング部材４１０３とともに、本体４２１０を囲む環状溝又はチャネル４２０４を規定する。
【０１８１】
シム開口部４２０３は、本体４２１０より大きいが、ヘッド４２０１の幅より狭い。開口部４２０３の両側におけるシムの左部及び右部は、本体４２１０のそれぞれ右側及び左側において溝４２０４の部分内にスライド可能に長手方向に差し入れられる（図５９参照）。また、シム開口部４２０３の後部に対するシム部は、溝４２０４の一部内においてヘッド４２０１の後部までスライド可能に受け入れ可能としてもよい。シム４２０２は、ヘッドのくさび形状を補完するくさび状の長手方向の断面を有する。シム４２０２は、傾斜した表面を上方に向けて、シムの厚い後端部からシムの薄い前部まで下方に傾斜して配向される。
【０１８２】
シム４２０２を図５５及び図５８〜図５９に示す位置から長手方向前方に押し付けると、シム４２０２が長手方向に本体４２１０の両側の溝４２０４の左部及び右部内に割り込む。開口部の後部に対するシムの部分はまた、溝４２０４の後部内に更に割り込んでもよい。シムを溝内に割り込ますと、上部及び底部クランピング部材はともに挟まれて図５６に示すように閉鎖構成になる。その後、クランピング部材は、シムクランプのバイアス力の一部を解放し、それによってクランピング部材を一方から、それらが中立位置に戻るのに十分に緩和するように、シムくさびを溝からわずかに後方に引き抜くことによって、閉鎖構成から中立構成に戻ることができる。シムを更に引き抜くと、クランピング部材は開放構成まで付けまつ毛がアプリケータ内に装填されるのに十分な程開放する。
【０１８３】
いくつかの実施形態では、ヘッドは、くさび状にする必要はなく、より平面構成を有することができる。いくつかの他の実施形態では、ヘッドは、くさび状とすることができ、シムは、くさび状構成ではなく、より多く平面構成を有することができる。ヘッド及び本体は、円形ではなく、矩形、正方形、卵形などの形状である断面を有することができる。
【０１８４】
アプリケータの開放構成と、閉鎖構成と、中立構成との間で、アプリケータを調整するために、シムアクションによりクランピング部材をともにバイアスするのに役立つ種々のシムクランプ構成が想定される。例えば、一実施形態では、本体４２１０は、クランピング部材を開閉するために、ヘッドと上部クランピング部材との間を長手方向に前後にスライド可能なシムの長手方向に貫通する空洞を有する、上部が開放されたシェルとすることができる。更に、本実施形態のシムクランプ装置は、図５５〜図５８に示すものよりも、種々のサイズ及び形状を有するアプリケータと合わせて使用されてもよい。シムクランプ装置は、本明細書に記載する実施形態の他のタイプのクランピング部材とともに採用され得る。
【０１８５】
本技術のまた更なる態様によれば、アプリケータは、一対のクランピング部材ではなく、単一の支持部材が採用されるクランプレス構成で設けられる。
【０１８６】
図６０〜図６２は、一実施形態に係る、かかるアプリケータ２０００を示す。いくつかの実施形態では、アプリケータは、使い捨てアプリケータである。他の実施形態では、アプリケータは、再使用可能である。アプリケータ２０００は、対向するほぼ(generally)平面状の外面２０３０を有する、ほぼ(generally)平面状の一体構造である支持部材２０１４を備える。いくつかの他の記載した実施形態のアプリケータクランプ部材に関し、外面２０３０は、限定するものではないが、二枚貝のような凸状プロファイルなどの他のプロファイルをとることができる。支持部材２０１４は、外面２０３０間に延在する外側部２００４を有する。外側部２００４は、アプリケータ２００、３０００．．．．の外側部２０４と一般的に(generally)同じ方法で入れ子状に付けまつ毛５０を支持するように構成される。図６０〜図６２に示す実施形態では、外側部２０１４は、（一般的に(generally)シリンダの部分の外側表面のように）実質的に凸状に長さに沿って延在し、外面２０３０間の幅に沿って実質的に垂直に延在する。記載した方法で付けまつ毛５０を眼瞼５００に付けることができる外側部２００４の長さ及び幅に沿った他の表面プロファイルが想定される。付けまつ毛ベースの外側部５４は、好適な接着剤２１を用いて、ベースの内側部５３を支持体(support)の外側部２００４と反対に対向して、支持部材の外側部２００４上に凹形状に解放可能に装着され得る。接着剤は、まつ毛５０の長さが支持部材２００４から解放可能で、容易に眼瞼５００の皮膚の上で、それにわたって横方向に、かつ支持部材から離れて転動できるように、選定され、塗布される。
【０１８７】
一実施形態では、付けまつ毛ベースの外側部５４を支持部材の外側部２００４に接着するのに塗布される接着媒体２１は、後に付けまつ毛５０を眼瞼に接着するためのまつ毛ベースの内側部５３に塗布される接着媒体２０より脆弱な接着特性を有する。この方法により、付けまつ毛５０が眼瞼の上を転動されるにつれて、まつ毛ベースの内側部５３の強力な接着媒体２０が、まつ毛５０を眼瞼に確保できるのに対し、より脆弱な接着媒体２１により、まつ毛が支持部材の外側部から解放される。こうすると、まつ毛ベースと外側部との間の接着媒体２１にかかわらず、まつ毛の内側部５３のより強力な接着媒体２０により、転動されたまつ毛を支持体(support)の外側部２００４から効果的に引き離すことができる。
【０１８８】
いくつかの実施形態では、強力かつ脆弱な接着媒体は、グルー、及び／又は必要な強力及び脆弱な接着剤特性（例えば、それぞれ高ｔａｃ及び低ｔａｃグルー）を付与するのに選択された組成物を有する他の接着媒体である。グルーは、限定するものではないが、グルーペースト、液状及び／又は糸状グルーとすることができる。他の実施形態では、強力かつ脆弱な接着媒体は、より強力な接着を達成するには、より多量の接着剤を塗布することによって、また、より脆弱な接着を達成するには、より少量の接着剤を塗布することによって、達成され得る。更に他の実施形態では、接着は、限定するものではないが、フェルト又はタップなどのグルー以外の媒体又はそれと組み合わせた媒体を用いて達成される。
【０１８９】
支持部材は、薄板紙（ｓｔｉｆｆ  ｐａｐｅｒ）、厚紙（cardboard）、プラスチック又は付けまつ毛を決まった場所に保持するとともに、アプリケーション中に付けまつ毛を解放し、かつ眼瞼に取り付けることができるのに十分な剛性の任意の他の材料から作製され得る。いくつかの実施形態では、付けまつ毛を、アプリケータ２０００に予め付けることができ、またカバーが、付けまつ毛バンド及び眼瞼に付けられるベースの内側部に予め塗布された任意のグルー又はグルーストリップを保護するのに設けられる。このカバーは、キャップ若しくは一枚の紙又は他の被覆材料とすることができる。紙のカバー片（ｃｏｖｅｒ  ｐｉｅｃｅ  ｏｆ  ｐａｐｅｒ）は、アプリケータを用いて付けまつ毛を付けるために準備されているアプリケータから剥がされ得る。更に別の実施形態では、アプリケータは、２つのアプリケータ２０００を備えることができ、一方は左目用で、他方は右目用で、それらは一片としてともに接合され、（複数本の）付けまつ毛を一方の後、他方というダブルアクションでそれぞれの眼瞼に付けることができる。
【０１９０】
ここで、一実施形態に係るアプリケータの動作方法について説明する。付けまつ毛は、反転された又は略平坦で提供される。その後、反転された付けまつ毛のバンドの外側部５４は、脆弱な接着剤２１を用いてアプリケータの外側部２００５の周縁部に接着される。これは工場で、又は後にエンドユーザによって実施され得る。強力な接着剤２０が付けまつ毛バンドの内側部に塗布される（これは、バンドをアプリケータに付けた後、付けまつ毛が反転された後だが、アプリケータに接着する前、又は付けまつ毛が反転される前であっても、実施され得る）。他の実施形態では、接着剤は眼瞼に塗布され得る。その後、付けまつ毛は、本明細書に記載した実施形態の他のアプリケータと同様の方法で支持部材２０１４を手で操作することによって眼瞼にわたって横方向に転動される。まつ毛は、眼瞼に接着し、また転動アクション中、支持部材２０１４から解放される。
【０１９１】
一部の態様では、付けまつ毛ホルダー、反転装置、反転−装填器、携帯用ホルダー、アプリケータ、アプリケータクリップ、アプリケータシムクランプ、クランピング部材、クランピング部材位置合わせポスト（複数のポスト）／穴（複数の穴）、アプリケータスペース機構、アプリケータヒンジ、付けまつ毛、付けまつ毛ホルダートレイ及び／又はボックス、接着媒体のうち、任意の２つ又はそれ以上などの本明細書に記載した構成要素の実施形態のうち、２つ又はそれ以上の任意の組み合わせを備える付けまつ毛アプリケータシステム又は他のシステムが提供される。このシステムのいくつかの実施形態では、前述の構成要素のうち１つ又はそれ以上は、使い捨てである。
【０１９２】
本発明の好ましい実施形態について詳細に説明し図示してきたが、本発明の趣旨を逸脱することなく、多くの変更が本実施形態になされ得ること、及び特徴が実施形態間で交換され得ることが理解されたい。
【図１】
0006698551.tif 000002
【図２】
0006698551.tif 000003
【図３】
0006698551.tif 000004
【図４】
0006698551.tif 000005
【図５】
0006698551.tif 000006
【図６】
0006698551.tif 000007
【図７】
0006698551.tif 000008
【図８】
0006698551.tif 000009
【図９】
0006698551.tif 000010
【図１０】
0006698551.tif 000011
【図１１】
0006698551.tif 000012
【図１２】
0006698551.tif 000013
【図１３】
0006698551.tif 000014
【図１４】
0006698551.tif 000015
【図１５】
0006698551.tif 000016
【図１６】
0006698551.tif 000017
【図１７】
0006698551.tif 000018
【図１８】
0006698551.tif 000019
【図１９】
0006698551.tif 000020
【図２０】
0006698551.tif 000021
【図２１】
0006698551.tif 000022
【図２２】
0006698551.tif 000023
【図２３】
0006698551.tif 000024
【図２４Ａ】
0006698551.tif 000025
【図２４Ｂ】
0006698551.tif 000026
【図２４Ｃ】
0006698551.tif 000027
【図２５】
0006698551.tif 000028
【図２６】
0006698551.tif 000029
【図２７】
0006698551.tif 000030
【図２８】
0006698551.tif 000031
【図２９】
0006698551.tif 000032
【図３０】
0006698551.tif 000033
【図３１】
0006698551.tif 000034
【図３２】
0006698551.tif 000035
【図３３】
0006698551.tif 000036
【図３４】
0006698551.tif 000037
【図３５】
0006698551.tif 000038
【図３６】
0006698551.tif 000039
【図３７】
0006698551.tif 000040
【図３８】
0006698551.tif 000041
【図３９】
0006698551.tif 000042
【図４０】
0006698551.tif 000043
【図４１】
0006698551.tif 000044
【図４２】
0006698551.tif 000045
【図４３】
0006698551.tif 000046
【図４４】
0006698551.tif 000047
【図４５】
0006698551.tif 000048
【図４６】
0006698551.tif 000049
【図４７】
0006698551.tif 000050
【図４８】
0006698551.tif 000051
【図４９】
0006698551.tif 000052
【図５０】
0006698551.tif 000053
【図５１】
0006698551.tif 000054
【図５２】
0006698551.tif 000055
【図５３】
0006698551.tif 000056
【図５４Ａ】
0006698551.tif 000057
【図５４Ｂ】
0006698551.tif 000058
【図５４Ｃ】
0006698551.tif 000059
【図５４Ｄ】
0006698551.tif 000060
【図５５】
0006698551.tif 000061
【図５６】
0006698551.tif 000062
【図５７】
0006698551.tif 000063
【図５８】
0006698551.tif 000064
【図５９】
0006698551.tif 000065
【図６０】
0006698551.tif 000066
【図６１】
0006698551.tif 000067
【図６２】
0006698551.tif 000068
【図６３】
0006698551.tif 000069
【図６４】
0006698551.tif 000070